(57)【要約】  端末がセル移動前に隣接セルのサービス状況を効率的に取得する無線通信基地局装置、無線通信端末装置、無線送信及び受信方法を提供すること。  サブエリアID記憶部１０７は、サブエリア識別子を記憶する。MIB生成部１０２は、スケジューリングブロックのスケジューリング情報と自セルが属するサブエリアのサブエリア識別子を含むマスター情報ブロックを生成し、MIB送信部１０８から送信する。MBMS SB生成部１０４は、前記放送型又はマルチキャスト型サービスが提供されるサブエリアの識別子を含む前記スケジューリングブロックを生成し、MBMS SB送信部１０９から送信する。
2008155915.tif 000002
【特許請求の範囲】
【請求項１】
１以上のセルから構成されるサービスエリア内で１以上の移動端末に放送サービス又はマルチキャストサービスを提供するための無線送信方法であって、
前記サービスエリアは１以上のサブエリアに分割され、前記サブエリアにはサブエリア識別子が付与されており、
スケジューリングブロックのスケジューリング情報と自セルが属するサブエリアのサブエリア識別子を含むマスター情報ブロックを送信するマスター情報ブロック送信ステップと、
前記放送サービス又はマルチキャストサービスが提供されるサブエリアの識別子を含む前記スケジューリングブロックを送信するスケジューリングブロック送信ステップと、からなる無線送信方法。
【請求項２】
前記スケジューリングブロックは、前記放送サービス又はマルチキャストサービスが提供されるサブエリアの内、前記自セルが属するサブエリアと隣接するサブエリアのサブエリア識別子を含むことを特徴とする、請求項１記載の無線送信方法。
【請求項３】
前記サブエリアにおいて提供されるサービスを識別するサービス識別子を、さらに前記スケジューリングブロックに含むことを特徴とする、請求項１又は請求項２記載の無線送信方法。
【請求項４】
制御情報を送信する制御情報送信ステップをさらに有する請求項１記載の無線送信方法であって、
前記制御情報は、前記放送サービス又はマルチキャストサービスが提供されるサブエリアの内、前記自セルが属するサブエリアと隣接するサブエリアのサブエリア識別子と、
前記サブエリアにおいて提供されるサービスを識別するサービス識別子とを含むことを特徴とする無線送信方法。
【請求項５】
前記スケジューリングブロックは、アクティブであるサービスのサービス識別子のみを含むことを特徴とする請求項４記載の無線送信方法。
【請求項６】
サービスエリア内で提供可能なすべてのサービス識別子を含む通知情報を送信する通知情報送信ステップをさらに有することを特徴とする請求項１から請求項５いずれか記載の無線送信方法。
【請求項７】
前記スケジューリングブロックはＳＦＮ合成され伝送されることを特徴とする請求項１から請求項６いずれか記載の無線送信方法。
【請求項８】
１以上のセルから構成されるサービスエリア内で１以上の移動端末に提供される放送サービス又はマルチキャストサービスを受信するための無線受信方法であって、
前記サービスエリアは１以上のサブエリアに分割され、前記サブエリアにはサブエリア識別子が付与されており、
スケジューリングブロックのスケジューリング情報と自セルが属するサブエリアのサブエリア識別子を含むマスター情報ブロックを受信するマスター情報ブロック受信ステップと、
前記放送サービス又はマルチキャストサービスが提供されるサブエリアの識別子を含む前記スケジューリングブロックを受信するスケジューリングブロック受信ステップと、からなる無線受信方法。
【請求項９】
隣接セルのスケジューリングブロックのスケジューリング情報と隣接セルが属するサブエリアのサブエリア識別子を含む隣接セルのマスター受信ブロックを受信する隣接セルマスター情報ブロック受信ステップをさらに有する請求項８記載の無線受信方法。
【請求項１０】
受信した前記隣接セルマスター情報ブロックからサブエリア識別子を抽出して記憶する隣接セルサブエリア識別子記憶ステップと、
前記隣接セルサブエリア識別子が前記スケジューリングブロックに含まれるかどうか判定する判定ステップとを有することを特徴とする請求項９記載の無線受信方法。
【請求項１１】
前記判定ステップにおいて、前記隣接セルサブエリア識別子が前記スケジューリングブロックに含まれないと判定された場合に、セルリセレクションを抑制することを特徴とする請求項１０記載の無線受信方法。
【請求項１２】
前記判定ステップにおいて、前記隣接セルサブエリア識別子が前記スケジューリングブロックに含まれないと判定された場合に、現在受信中のサービスが継続できなくなることをユーザに通知する通知ステップをさらに有することを特徴とする請求項１０記載の無線受信方法。
【請求項１３】
１以上のセルから構成されるサービスエリア内で１以上の移動端末に放送サービス又はマルチキャストサービスを提供するための無線送受信方法であって、
前記サービスエリアは１以上のサブエリアに分割され、前記サブエリアにはサブエリア識別子が付与されており、
スケジューリングブロックのスケジューリング情報と自セルが属するサブエリアのサブエリア識別子を含むマスター情報ブロックを送信するマスター情報ブロック送信ステップと、
前記放送サービス又はマルチキャストサービスが提供されるサブエリアの識別子を含む前記スケジューリングブロックを送信するスケジューリングブロック送信ステップと、
スケジューリングブロックのスケジューリング情報と自セルが属するサブエリアのサブエリア識別子を含むマスター情報ブロックを受信するマスター情報ブロック受信ステップと、
前記放送サービス又はマルチキャストサービスが提供されるサブエリアの識別子を含む前記スケジューリングブロックを受信するスケジューリングブロック受信ステップと、からなる無線送受信方法。
【請求項１４】
１以上のセルから構成されるサービスエリア内で１以上の移動端末に放送サービス又はマルチキャストサービスを提供するための無線送信装置であって、
前記サービスエリアは１以上のサブエリアに分割され、前記サブエリアにはサブエリア識別子が付与されており、
スケジューリングブロックのスケジューリング情報と自セルが属するサブエリアのサブエリア識別子を含むマスター情報ブロックを送信するマスター情報ブロック送信部と、
前記放送サービス又はマルチキャストサービスが提供されるサブエリアの識別子を含む前記スケジューリングブロックを送信するスケジューリングブロック送信部と、を具備する無線送信装置。
【請求項１５】
前記スケジューリングブロックは、前記放送サービス又はマルチキャストサービスが提供されるサブエリアの内、前記自セルが属するサブエリアと隣接するサブエリアのサブエリア識別子を含むことを特徴とする、請求項１４記載の無線送信装置。
【請求項１６】
前記サブエリアにおいて提供されるサービスを識別するサービス識別子を、さらに前記スケジューリングブロックに含むことを特徴とする、請求項１４又は請求項１５記載の無線送信装置。
【請求項１７】
制御情報を送信する制御情報送信部をさらに具備する請求項１４記載の無線送信装置であって、
前記制御情報は、前記放送サービス又はマルチキャストサービスが提供されるサブエリアの内、前記自セルが属するサブエリアと隣接するサブエリアのサブエリア識別子と、
前記サブエリアにおいて提供されるサービスを識別するサービス識別子とを含むことを特徴とする無線送信装置。
【請求項１８】
前記スケジューリングブロックは、アクティブであるサービスのサービス識別子のみを含むことを特徴とする請求項１７記載の無線送信装置。
【請求項１９】
サービスエリア内で提供可能なすべてのサービス識別子を含む通知情報を送信する通知情報送信部をさらに具備することを特徴とする請求項１４から請求項１８いずれか記載の無線送信装置。
【請求項２０】
前記スケジューリングブロックはＳＦＮ合成され伝送されることを特徴とする請求項１４から請求項１９いずれか記載の無線送信装置。
【請求項２１】
１以上のセルから構成されるサービスエリア内で１以上の移動端末に提供される放送サービス又はマルチキャストサービスを受信するための無線受信装置であって、
前記サービスエリアは１以上のサブエリアに分割され、前記サブエリアにはサブエリア識別子が付与されており、
スケジューリングブロックのスケジューリング情報と自セルが属するサブエリアのサブエリア識別子を含むマスター情報ブロックを受信するマスター情報ブロック受信部と、
前記放送サービス又はマルチキャストサービスが提供されるサブエリアの識別子を含む前記スケジューリングブロックを受信するスケジューリングブロック受信部と、を具備する無線受信装置。
【請求項２２】
隣接セルのスケジューリングブロックのスケジューリング情報と隣接セルが属するサブエリアのサブエリア識別子を含む隣接セルのマスター受信ブロックを受信する隣接セルマスター情報ブロック受信部とをさらに具備する請求項２１記載の無線受信装置。
【請求項２３】
受信した前記隣接セルマスター情報ブロックからサブエリア識別子を抽出して記憶する隣接セルサブエリア識別子記憶部と、前記隣接セルサブエリア識別子が前記スケジューリングブロックに含まれるかどうか判定する判定部を具備することを特徴とする請求項２２記載の無線受信装置。
【請求項２４】
前記判定部において、前記隣接セルサブエリア識別子が前記スケジューリングブロックに含まれないと判定された場合に、セルリセレクションを抑制することを特徴とする請求項２３記載の無線受信装置。
【請求項２５】
前記判定部において、前記隣接セルサブエリア識別子が前記スケジューリングブロックに含まれないと判定された場合に、現在受信中のサービスが継続できなくなることをユーザーに通知する通知部をさらに具備することを特徴とする請求項２３記載の無線受信装置。
【請求項２６】
１以上のセルから構成されるサービスエリア内で１以上の移動端末に放送サービス又はマルチキャストサービスを提供するための無線送受信システムであって、
前記サービスエリアは１以上のサブエリアに分割され、前記サブエリアにはサブエリア識別子が付与されており、
スケジューリングブロックのスケジューリング情報と自セルが属するサブエリアのサブエリア識別子を含むマスター情報ブロックを送信するマスター情報ブロック送信部と、
前記放送サービス又はマルチキャストサービスが提供されるサブエリアの識別子を含む前記スケジューリングブロックを送信するスケジューリングブロック送信部と、
スケジューリングブロックのスケジューリング情報と自セルが属するサブエリアのサブエリア識別子を含むマスター情報ブロックを受信するマスター情報ブロック受信部と、
前記放送サービス又はマルチキャストサービスが提供されるサブエリアの識別子を含む前記スケジューリングブロックを受信するスケジューリングブロック受信部と、を具備する無線送受信システム。
【請求項２７】
請求項１４から請求項２０のいずれかに記載の無線送信装置を具備する基地局装置。
【請求項２８】
請求項２１から請求項２５のいずれかに記載の無線受信装置を具備する端末装置。
【発明の詳細な説明】
【技術分野】
【０００１】
本発明は、無線通信の技術分野に関し、特にマルチメディア・ブロードキャスト／ マルチキャスト・サービス（MBMS: Multimedia Broadcast/Multicast Service）を行う無線通信基地局装置、無線通信端末装置、無線送信方法及び無線受信方法に関する。
【背景技術】
【０００２】
移動体通信の分野においては、近年、放送サービス又はマルチキャストサービスであるマルチメディア・ブロードキャスト／マルチキャスト・サービス（MBMS: Multimedia Broadcast/Multicast Service: 以下、「MBMS」という）に関する技術的な検討が行われている。ＭＢＭＳは、１対１の通信ではなく、１対多の通信であり、１つの基地局装置が複数の端末装置に対して同時に同一データ（例えば、音楽データやビデオ画像データ等）を送信する。【０００３】
ＭＢＭＳの利点としては以下のことが挙げられる。すなわち、ストリーミング・サービス等で、基地局装置から送信される情報をそれぞれの通信端末装置が個別チャネルを１チャネルずつ使用して受信すると、その情報を受信したい通信端末装置が増えた場合に、無線回線にかかる負荷が大きくなってしまう。しかし、ＭＢＭＳを使用すると、通信端末装置が増えた場合でもそれらの通信端末装置全てが同じチャネルを使用して情報を受信するので、無線回線にかかる負荷を増大させることなく情報受信できる通信端末装置を増加させることができる。現在、ＭＢＭＳを用いたサービスとしては、交通情報の配信、音楽配信、駅でのニュース配信、スポーツ中継の配信等が考えられている。【０００４】
次に、共通のサービスが提供されるエリアであるMBMSサービスエリア（MBMS Service area）について図１５を用いて説明する。図１５に示すように、MBMSサービスエリアは複数のセルの集まりとして構成される。図１５における六角形それぞれがセルを表す。MBMSサービスエリア内では、共通のMBMSサービスが配信される（1つのMBMSサービスエリア内で配信されるMBMSサービスは1つでも複数でもよい）。MBMSサービスエリア内では、エリア内の複数の基地局でタイミングを合わせて同じデータを送信するSFN合成（ＳＦＮコンバイニング、Single Frequency Network combining)を行う。同一タイミングで送信されたデータは、無線上で混ざり合って端末に届き、OFDM通信方式の場合、ガードインターバル(GI, Guard Interval)の期間内であれば、互いに干渉せず合成が可能である。セルエッジのように自分の基地局からの電波が弱い位置にいる端末でも、隣接基地局からの信号と合成されたデータを受信するので、SFNコンバイニングによって、エリア全体に効率的にMBMSデータを配信することができる。MBMSサービスエリアは、共通のMBMSサービスが配信される範囲である。図１５の例では、MBMSサービスエリア１、２、３でそれぞれ異なるMBMSサービスが提供される。MBMSサービスエリアが重なっているセルでは、重なっているすべてのMBMSサービスエリアで提供されているMBMSサービスを受けることができる。例えば、図１５のMBMSサービスエリア１でニュース番組１と音楽配信サービスが提供されており、MBMSサービスエリア２でニュース番組２とスポーツ番組が提供されており、MBMSサービスエリア３で交通情報が提供されているとする。ここで、MBMSサービスエリア１と２の重なっている部分ではニュース番組１及び２と音楽配信サービス、スポーツ番組を受けることができる。MBMSサービスエリア１、２、３の重なっている部分に位置するセルでは、3つのMBMSサービスエリアで提供されているすべてのMBMSサービスを受けることができる。【０００５】
端末がMBMSサービスを受信するために必要な制御情報の受信手順を、図１６を用いて説明する。端末はまず、報知情報であるマスター情報ブロック(Master Information Block:以下、「MIB」という)を報知チャネル(BCH, broadcast channel)を介して受信する。MIBとは、端末が最初に受信する報知情報であり、物理レイヤに関するパラメータや次に受信する情報のスケジューリング情報などを含むメッセージである。次に、MIBに含まれるスケジューリング情報に従って、MBMSの制御情報のスケジューリング情報を運ぶメッセージであるMSMSスケジューリングブロック（MBMS Scheduling Block: 以下、「MBMS SB」という）を下り共有チャネル(DL-SCH, downlink shared channel)を介して受信する。MIBとMBMS SBのメッセージ構成を図１７に示す。MBMS SBは、セルが属している各MBMSサービスエリアのIDと、提供されているMBMSサービスのID、及びMBMSサービスを受信するための設定等に必要なMBMSの制御情報のスケジューリング情報等を含む。【０００６】
端末は、MBMS SBに指示されたスケジューリング情報に従って、通知情報(Notification)、アクセス情報(Access Information)、MBMS一般情報(MBMS General Information)、MBMS無線ベアラ情報(MBMS Radio Bearer Information: 以下、「MBMS RB Information」という)の順に、MBMSポイント・ツー・マルチポイント制御チャネル(MCCH: mbms point-to-multipoint control channel)を介して受信する。その後、受信した制御情報をもとに、MBMSポイント・ツー・マルチポイントトラフィックチャネル(MTCH, mbms point-to-multipoint traffic channel)を介してMBMSコンテンツを受信する。【０００７】
全てのMBMSサービスエリアに対して個々のMBMS SBを使用する場合には端末が複数のMBMS SBを読む必要があるため、動作として複雑になってしまう。そのため、全てのMBMSサービスエリアに対して共通のMBMS SBを使用することが有効である。ただしこの場合には、MBMS SBは、セルごとに属しているMBMSサービスエリアが異なるため、セル単位で送信する必要がある。NotificationやAccess Informationのようなサービスに関する情報はMBMSサービスエリア全体で共通のため、MBMSサービスエリア単位でコンバイニングできるように送信することができ、MBMS Generation InformationやMBMS RB Informationは、周波数やタイマ、無線ベアラ(RB)の設定情報なので、オペレータが設定したネットワーク(PublicLand Mobile Network: 以下、「PLMN」という)レベルでコンバイニングできるように送信することができることを考えると、MBMS SBのみセル単位で送信する動作は非効率であるといえる。【０００８】
以下、本発明の背景技術に係る基地局装置１８００の構成について、図１８のブロック図を用いて説明する。【０００９】
報知情報記憶部１８０１は、MIBに関連する情報を記憶し、記憶したMIB関連情報をMIB生成部１８０２に出力する。【００１０】
MBMS関連情報記憶部１８０３は、MBMSサービスエリアID、MBMSサービスID、MBMS制御情報関連情報等のMBMSに関連する情報を記憶し、記憶したMBMSサービスエリアID、MBMSサービスID 等の情報をMBMS SB生成部１８０４に、MBMS制御情報関連情報等をMBMS制御情報生成部１８０５に出力する。また、MBMS制御情報のデータサイズ等の情報を、スケジューリング部１８０６に出力する。【００１１】
MBMS制御情報生成部１８０５は、MBMS関連情報記憶部１８０３から出力されたMBMS制御情報関連情報に基づいて、MBMS制御情報を生成し、生成したMBMS制御情報をMBMS制御情報送信部１８０９に出力する。【００１２】
MBMS SB生成部１８０４は、MBMS関連情報記憶部１８０３から出力されたMBMS関連情報と、スケジューリング部１８０６から出力されたMBMS制御情報のスケジューリング情報に基づいてMBMS SBを生成し、生成したMBMS SBをMBMS SB送信部１８０８に出力する。【００１３】
MIB生成部１８０２は、報知情報記憶部１８０１から出力されたMIB関連情報と、スケジュールリング部１８０６から出力されたMBMS SBのスケジューリング情報に基づいてMIBを生成し、生成したMIBをMIB送信部１８０７に出力する。【００１４】
スケジューリング部１８０６は、MBMS関連情報記憶部１８０３から出力されたMBMS制御情報のデータサイズ等の情報を取得し、これらに基づいてMBMS制御情報のスケジューリング情報を決定する。決定されたMBMS制御情報のスケジューリング情報は、MBMS SB生成部１８０４に出力される。また、MBMS SBのスケジューリング情報をMIB生成部８０２とMBMSSB送信部１８０８に、MIBのスケジューリング情報をMIB送信部１８０７にそれぞれ出力する。【００１５】
MIB送信部１８０７は、MIB生成部１８０２から出力されたMIBを、スケジューリング部１８０６から出力されたスケジューリング情報に従って送信する。MBMS SB送信部１８０８は、MBMS SB生成部１８０４から出力されたMBMS SBを、スケジューリング部１８０６から出力されたスケジューリング情報に従って送信する。MBMS制御情報送信部１８０９は、MBMS制御情報生成部１８０５から出力されたMBMS制御情報を、スケジューリング部１８０６から出力されたスケジューリング情報に従って送信する。【００１６】
次に、本発明の背景技術に係る端末１９００の構成について、図１９のブロック図を用いて説明する。【００１７】
受信部１９０１は、基地局から送信された信号を受信し、受信した信号のうちMIBをMIB受信部１９０２に、MBMS SBをMBMS SB受信部１９０３に、MBMS制御情報をMBMS制御情報受信部１９０４に、それぞれ出力する。【００１８】
MIB受信部１９０２は、受信部１９０１から出力されたMIBを受信し、MBMS SBのスケジューリング情報等をMBMS SB関連情報取得部１９０５に出力する。【００１９】
MBMS SB受信部１９０３は、受信部１９０１から出力されたMBMS SBを受信し、MBMS制御情報のスケジューリング情報等をMBMS制御情報関連情報取得部１９０６に出力する。【００２０】
MBMS制御情報受信部１９０４は、受信部１９０１から出力されたMBMS制御情報を受信する。【００２１】
MBMS SB関連情報取得部１９０５は、MIB受信部１９０２から出力されたMBMS SB関連情報から、MBMS SBのスケジューリング情報をスケジューリング部１９０７に出力する。【００２２】
MBMS制御情報関連情報取得部１９０６は、MBMS SB受信部１９０３から出力されたMBMS制御情報関連情報から、MBMS制御情報のスケジューリング情報をスケジューリング部１９０７に出力する。【００２３】
スケジューリング部１９０７は、MBMS SB関連情報取得部１９０５から出力されたMBMSSBのスケジューリング情報、及びMBMS制御情報関連情報取得部１９０６から出力されたMBMS制御情報のスケジューリング情報に基づいて、端末の受信スケジュールを決定する。決定された受信スケジュールは、受信部１９０１に出力される。【００２４】
【非特許文献１】3rd Generation Partnership Project, 3GPP TS 25.331 V7.4.0(3rd Generation Partnership Project;Technical Specification Group Radio AccessNetwork;Radio Resource Control(RRC);Protocol Specification(Release 7)),2007年4月,インターネット<URL: http://www.3gpp.org>
【発明の開示】
【発明が解決しようとする課題】
【００２５】
しかし、上記従来技術では、MBMS制御情報を取得するために必要な情報であるMBMS SBをSFNコンバイニングできないという課題がある。【００２６】
また、アイドル状態(idle mode)の端末が、セルの移動に伴って利用する基地局を切り替える（セルリセレクション、セル再選択、cell reselection)際、前のセルで受けていたサービスが移動先のセルでは提供されていない可能性がある。端末がセル内で提供されているサービスを知るには、MBMS SBを受信しなければならない。しかし、端末は現在のセルにいて隣接セルのMIBまでしか受信することができず、それ以上の情報を受信するには、サブフレームのどの位置に誰宛ての情報が入っているかを示したL1/L2シグナリングチャネル(L1/L2 signalling channel)を取得しなければならない。しかし、隣接セルのL1/L2シグナリングチャネルを受信して、現在受信しているサービスが隣接セルでも継続して受信できるかをセルリセレクション前に知るには、端末の動作が複雑になるので、非効率という問題がある。【００２７】
本発明の目的は、端末がセル移動前に隣接セルのサービス状況を効率的に取得する無線通信基地局装置、無線通信端末装置、無線送信及び受信方法を提供することである。
【課題を解決するための手段】
【００２８】
本発明は、１以上のセルから構成されるサービスエリア内で１以上の移動端末に放送サービス又はマルチキャストサービスを提供するための無線送信手段と、前記サービスエリアは１以上のサブエリアに分割され、前記サブエリアにはサブエリア識別子が付与されており、スケジューリングブロックのスケジューリング情報と自セルが属するサブエリアのサブエリア識別子を含むマスター情報ブロックを送信するマスター情報ブロック送信手段と、前記放送サービス又はマルチキャストサービスが提供されるサブエリアの識別子を含む前記スケジューリングブロックを送信するスケジューリングブロック送信手段と、を具備する無線送信装置を提供する。
【発明の効果】
【００２９】
本発明に係る無線通信基地局装置、無線通信端末装置、無線送信及び受信方法によれば、セル移動前に隣接セルのサービス状況を効率的に取得することで、セル移動後にサービスが継続できなくなる危険性を回避する助けとなる。【００３０】
さらに、MBMSサービスを受けるための制御情報やスケジューリング情報を出来る限りSFNコンバイニングできるように送信することができるので、端末の受信効率が向上する。
【図面の簡単な説明】
【００３１】
【図１】本発明の実施の形態１に係る基地局装置の構成を示すブロック図
【図２】本発明の実施の形態１に係る端末装置の構成を示すブロック図
【図３】本発明の実施の形態１に係るネットワークの構成図
【図４】本発明の実施の形態１に係るMBMSサービスエリア及びMBMSサブエリアの配置例を示した図
【図５】本発明の実施の形態１に係るMIBとMBMS SBのメッセージ構成図
【図６】本発明の実施の形態１に係る端末装置におけるMBMS関連情報の受信手順を示した図
【図７】本発明の実施の形態１に係る端末装置におけるMBMS制御情報受信までの動作を示したフローチャート
【図８】本発明の実施の形態１に係る端末装置における隣接セルのMBMSサブエリアID判定の動作を示したフローチャート
【図９】本発明の実施の形態２に係る端末装置の構成を示すブロック図
【図１０】本発明の実施の形態３に係る隣接MBMSサブエリア情報のメッセージ構成図
【図１１】本発明の実施の形態３に係る端末装置におけるMBMS関連情報の受信手順を示した図
【図１２】本発明の実施の形態３に係る基地局装置の構成を示すブロック図
【図１３】本発明の実施の形態３に係る端末装置の構成を示すブロック図
【図１４】本発明の実施の形態４に係るカウンティング時の基地局装置と端末装置のシグナリングフローを説明するための図
【図１５】従来技術に係るMBMSサービスエリアの配置例を示した図
【図１６】従来技術に係る端末装置のMBMS関連情報の受信手順を示した図
【図１７】従来技術に係るMIBとMBMS SBのメッセージ構成図
【図１８】従来技術に係る基地局装置の構成を示すブロック図
【図１９】従来技術に係る端末装置の構成を示すブロック図
【図２０】本発明の実施の形態５に係るマクロセルと屋内エリアのエリア概念図
【図２１】本発明の実施の形態５に係る屋内基地局装置の構成を示すブロック図
【図２２】本発明の実施の形態５に係る端末装置の構成を示すブロック図
【図２３】本発明の実施の形態５に係る屋内基地局装置と端末装置のシーケンス図
【図２４】本発明の実施の形態５に係る端末装置における、屋内エリアでMBMSデータを受信するまでの動作を示したフローチャート
【図２５】本発明の実施の形態６に係る端末装置の構成を示すブロック図
【符号の説明】
【００３２】
１０１    報知情報記憶部
１０２    MIB生成部
１０３    MBMS関連情報記憶部
１０４    MBMS SB生成部
１０５    MBMS制御情報生成部
１０６    スケジューリング部
１０７    サブエリアID記憶部
１０８    MIB送信部
１０９    MBMS SB送信部
１１０    MBMS制御情報送信部
１１１    アンテナ
【発明を実施するための最良の形態】
【００３３】
以下、本発明の実施の形態について、図面を参照して詳細に説明する。ただし、実施の形態において、同一の機能を有する構成には同一符号を付し、重複する説明は省略する。【００３４】
以下の実施の形態においては、第三世代移動通信システム、３．５世代移動通信システム、特に、３．９世代移動通信システム（3GPP LTE(Long Term Evolution）等）のシステムに基づいて説明するが、本発明はこれらのシステムに限定されるものではなく、第四世代移動通信システム（IMT-Advanced等）、無線ＬＡＮ等のいかなる移動通信システムにも適用可能である。【００３５】
（実施の形態１）
図３は、本実施の形態１に係るネットワークの構成を示す図である。図３に示すネットワークは、端末装置(User Equipment, UE)３０１、無線基地局装置(Evolved NodeB, eNB)３０２、MBMS制御装置(MBMS Control Entity, MCE)３０３、及びコアネットワーク(Evolved Packet Core, EPC)３０４から構成される。【００３６】
基地局装置３０２は、無線資源の割り当て及び管理を行い、UE３０１のための無線アクセスネットワークのアクセスポイントの役割を担当する。アップリンクを介してUE３０１から転送される情報を受信し、ダウンリンクを介してUE３０１にデータを転送する。【００３７】
MCE３０３は複数の基地局装置３０２を管理し、MBMSサービスに対する物理リソースブロックの割り当てを行う。EPC３０４は、移動通信ネットワークの基幹部分であり、MBMSコンテンツの配信や、MBMSデータ及びセッションの制御等を行う。【００３８】
本実施の形態１では、MBMSサービスエリアを複数のエリアに分割することで、MBMS SBをSFNコンバイニングできるように送信することを可能にする。【００３９】
図４は、本発明の実施の形態１に係るMBMSデータ送信のエリア構成を示した図である。【００４０】
図４に示すように、SFNコンバイニングを行う最小単位として1以上のセルから構成されるMBMSサブエリア(MBMS sub area)を定義し、MBMSサービスエリアをMBMSサブエリア単位で構成する。MBMSサブエリアは複数のMBMSサービスエリアに属することが出来る。これによって、MBMS SB をMBMSサブエリア単位でSFNコンバイニングできるように送信することが可能になる。【００４１】
図５は、本発明の実施の形態１に係るMIBとMBMS SBのメッセージ構成を示した図である。図５に示すように、MIB５０１によって、MBMS SBのスケジューリング情報等に加え、MBMSサブエリアIDを通知する。MBMS SB５０２によってMBMSサービスＩＤやMBMS制御情報のスケジューリング情報等に加え、サービスエリアを構成するMBMSサブエリアIDのリストを通知する。MBMS SB５０２は、サブエリア内で共通となるように構成したので、MBMSサブエリア内でSFNコンバイニングできるように送信する可能である。端末装置は、MIB５０１とMBMS SB５０２を受信すると、自分のいるMBMSサブエリアIDとMBMSサービスエリアID、及び同じMBMSサービスエリアに含まれるMBMSサブエリアIDを取得する。【００４２】
本実施の形態１における、端末装置がMBMS関連情報を受信する流れを図６を用いて説明する。端末装置は、端末装置が属するセルである、自セル（サービングセル、serving cell）のMIBを報知チャネル(BCH)を介して受信して自セルのMBMSサブエリアIDを取得し、次にMBMS SBを下り共有チャネル(DL-SCH)を介して受信して、自セルの所属するMBMSサブエリアで配信されているMBMSサービスと、同じMBMSサービスを配信している他のMBMSサブエリアの情報を取得する。この時、MBMS SBはMBMSサブエリアでSFNコンバイニングされる。続いてNotificationからMBMS RB InformationまでのMBMS制御情報を、MBMSポイント・ツー・マルチポイント制御チャネル(MCCH)を介して受信する。以上の受信した情報に基づいて、MBMSコンテンツをMBMSポイント・ツー・マルチポイントトラヒックチャネル(MTCH)を介して受信する。【００４３】
ここで、端末装置がセルリセレクション前に隣接セルのMIBを報知チャネルを介して受信、もしくはセルリセレクション後に移動先のセルのMIBを受信した場合、移動前のセルと移動先のセルのMIBに含まれるMBMSサブエリアIDを比較して、MBMS SBを新たに受信する必要の有無を判断できる。また、端末装置は、隣接セルのMIBを受信することで、隣接セルが属しているMBMSサブエリアのIDを取得できるので、あらかじめ取得したMBMS SBの情報と照らし合わせて、隣接セルで提供されているMBMSサービスを知ることができる。【００４４】
以下、本発明の実施の形態１に係る基地局装置１００（eNode B）の構成について、図１のブロック図を用いて説明する。【００４５】
報知情報記憶部１０１は、MBMSスケジューリングブロックのスケジューリング情報、物理レイヤパラメータ等のMIBに関連する情報を記憶し、記憶したMIB関連情報をMIB生成部１０２に出力する。【００４６】
MBMS関連情報記憶部１０３は、MBMSサービスエリアID、MBMSサービスID、MBMS制御情報関連情報等のMBMSに関連する情報を記憶し、記憶したMBMSサービスエリアID、MBMSサービスID等の情報をMBMS SB生成部１０４に、MBMS制御情報関連情報等をMBMS制御情報生成部１０５に出力する。また、MBMS制御情報のデータサイズ等の情報を、スケジューリング部１０６に出力する。【００４７】
サブエリアID記憶部１０７は、MBMSサブエリアID、MBMSサービスエリアID、及び各MBMSサービスエリアに対応するMBMSサブエリアの情報を記憶している。記憶した情報のうち、自分のセルが属しているMBMSサブエリアIDはMIB生成部１０２に、自分のセルが属しているMBMSサービスエリアID及び対応するMBMSサブエリアIDはMBMS SB生成部１０４にそれぞれ出力する。【００４８】
MBMS制御情報生成部１０５は、MBMS関連情報記憶部１０３から出力されたMBMS制御情報関連情報に基づいて、通知情報（Notification）、アクセス情報（Access Information）等のMBMS制御情報を生成し、生成したMBMS制御情報をMBMS制御情報送信部１１０に出力する。【００４９】
MBMS SB生成部１０４は、MBMS関連情報記憶部１０３から出力されたMBMS関連情報と、エリアIDデータベース部から出力されたMBMSサービスエリアID及び対応するMBMSサブエリアIDと、スケジューリング部１０６から出力されたMBMS制御情報のスケジューリング情報に基づいてMBMS SBを生成し、生成したMBMS SBをMBMS SB送信部１０９に出力する。ここで生成したMBMS SBは、MBMSサービスエリアごとのすべてのMBMSサブエリアIDを含む。【００５０】
MIB生成部１０２は、報知情報記憶部１０１から出力されたMIB関連情報と、サブエリアID記憶部１０７から出力されたMBMSサービスエリアIDと、スケジュールリング部１０６から出力されたMBMS SBのスケジューリング情報に基づいてMIBを生成し、生成したMIBをMIB送信部１０８に出力する。ここで生成したMIBはMBMSサブエリアIDを含む。【００５１】
スケジューリング部１０６は、MBMS関連情報記憶部１０３から出力されたMBMS制御情報のデータサイズ等の情報を取得し、これらに基づいてMBMS制御情報のスケジューリング情報を決定する。決定されたMBMS制御情報のスケジューリング情報は、MBMS SB生成部１０４に出力される。また、MBMS制御情報のスケジューリング情報をMBMS SB生成部１０４とMBMS制御情報送信部１１０に、MBMS SBのスケジューリング情報をMIB生成部１０２とMBMS SB送信部１０９に、MIBのスケジューリング情報をMIB送信部１０８にそれぞれ出力する。【００５２】
MIB送信部１０８は、MIB生成部１０２から出力されたMIBを、スケジューリング部１０６から出力されたスケジューリング情報に従って送信する。MBMS SB送信部１０９は、MBMS SB生成部１０４から出力されたMBMS SBを、スケジューリング部１０６から出力されたスケジューリング情報に従って送信する。MBMS制御情報送信部１１０は、MBMS制御情報生成部１０５から出力されたMBMS制御情報を、スケジューリング部１０６から出力されたスケジューリング情報に従って、アンテナ１１１を介して送信する。【００５３】
また、基地局装置１００は、ＭＢＭＳデータを生成するブロードキャスト・マルチキャストサービスセンター（BMSC,Broadcast Multicast Service Center）からネットワークを介してＭＢＭＳデータを受信する。さらに、基地局装置１００は、ネットワークを介して受信したＭＢＭＳデータを、図示しないＭＢＭＳデータ送信部からＭＴＣＨを介して１以上の端末装置に送信する。【００５４】
次に、本発明の実施の形態１に係る端末装置２００(UE)の構成について、図２のブロック図を用いて説明する。【００５５】
受信部２０１は、基地局装置から送信された信号をアンテナ２０９を介して受信し、受信した信号のうちMIBをMIB受信部２０２に、MBMS SBをMBMS SB受信部２０３に、MBMS制御情報をMBMS制御情報受信部２０４に、それぞれ出力する。【００５６】
MIB受信部２０２は、受信部２０１から出力されたMIBを受信し、MBMS SBのスケジューリング情報等をMBMS SB関連情報取得部２０５に出力する。また、MBMSサブエリアIDを抽出し、MBMSサブエリア判定部２０８に出力する。【００５７】
MBMS SB受信部２０３は、受信部２０１から出力されたMBMS SBを受信し、MBMS制御情報のスケジューリング情報等をMBMS制御情報関連情報取得部２０６に出力する。また、MBMSサービスエリアごとに含まれるMBMSサブエリアIDを抽出し、MBMS サブエリア判定部２０８に出力する。【００５８】
MBMS SB関連情報取得部２０５は、MIB受信部２０２から出力されたMBMS SB関連情報から、MBMS SBのスケジューリング情報をスケジューリング部２０７に出力する。【００５９】
MBMS制御情報関連情報取得部２０６は、MBMS SB受信部２０３から出力されたMBMS制御情報関連情報から、MBMS制御情報のスケジューリング情報をスケジューリング情報処理部２０７に出力する。【００６０】
スケジューリング情報処理部２０７は、MBMS SB関連情報取得部２０５から出力されたMBMS SBのスケジューリング情報、及びMBMS制御情報関連情報取得部２０６から出力されたMBMS制御情報のスケジューリング情報に基づいて、端末装置の受信スケジュールを決定する。決定された受信スケジュールは、受信部２０１に出力される。【００６１】
MBMSサブエリア判定部２０８は、MIB受信部２０２から出力された隣接セルのMBMSサブエリアIDと、MBMS SB受信部２０３から出力されたMBMSサービスエリアごとのMBMSサブエリアIDを比較し、現在受信しているMBMSサービスを提供しているMBMSサービスエリアに、隣接セルのMBMSサブエリアが含まれているかどうかを判定する。【００６２】
図７は、本発明の実施の形態１に係る端末装置２００における、MBMS制御情報受信までの動作を示したフローチャートである。以下、図２及び図７を用いて、端末装置２００のMBMS制御情報受信動作について説明する。以下の記載及び図面において、ステップを「ＳＴ」と省略して記載する。【００６３】
ST711では、受信部２０１で受信した自セル（サービングセル、serving cell）のMIBを、MIB受信部２０２に出力する。ST712では、MIB受信部２０２でMIBに含まれるMBMSサブエリアIDを抽出し、保管する。ST713では、MBMS SB関連情報取得部２０５で、MIB受信部２０２から出力されたMIBに含まれる情報のうち、MBMS SB関連情報を抽出する。MBMS SB関連情報取得部２０５で抽出されたMBMS SB関連情報のうち、MBMS SBのスケジューリング情報をスケジューリング情報処理部２０７に出力する。【００６４】
ST714では、スケジューリング情報処理部２０７からの指示に従って、受信部２０１で受信したMBMS SBを、MBMS SB受信部２０３に出力する。ST715では、MBMS SB受信部２０３でMBMS SBに含まれるMBMSサービスエリアごとのMBMSサブエリアIDを抽出し、保管する。ST716では、MBMS制御情報関連情報取得部２０６で、MBMS SB受信部から出力されたMBMS SBに含まれる情報のうち、MBMS制御情報関連情報を抽出する。MBMS制御情報関連情報取得部２０６で抽出されたMBMS制御情報関連情報のうち、MBMS制御情報のスケジューリング情報をスケジューリング情報処理２０７に出力する。ST717では、スケジューリング情報処理部２０７からの指示に従って、受信部２０１で受信したMBMS制御情報を、MBMS制御情報受信部２０４に出力する。【００６５】
図８は、本発明の実施の形態１に係る端末装置２００における、隣接セルのMBMSサブエリアID判定の動作を示したフローチャートである。【００６６】
ST811では、受信部２０１で受信した隣接セルのMIBを、MIB受信部２０２に出力する。ST1812では、MIB受信部２０２でMIBに含まれるMBMSサブエリアIDを抽出し、保管する。ST813では、MIB受信部２０２で保管されていた自セルと隣接セルのMBMSサブエリアIDをそれぞれMBMSサブエリア判定部２０８に出力する。MBMSサブエリア判定部２０８では、2つのMBMSサブエリアIDを比較する。【００６７】
MBMSサブエリア判定部２０８での判定の結果、自セルと隣接セルのMBMSサブエリアIDが同一であれば、ST814に移行し、端末装置２００は隣接セルへのセルリセレクション後に、隣接セルのMBMS SBを読み直す必要がない。【００６８】
MBMSサブエリア判定部２０８での判定の結果、自セルと隣接セルのMBMSサブエリアIDが同一であれば、ST815に移行し、MBMS SB受信部２０３で保管されていたMBMSサービスエリアごとのMBMSサブエリアIDをMBMSサブエリア判定部２０８に出力する。MBMSサブエリア判定部２０８で、隣接セルのMBMSサブエリアIDと自セルが属しているMBMSサービスエリアに含まれるMBMSサブエリアIDを比較する。MBMSサブエリア判定部２０８の判定の結果、隣接セルのMBMSサブエリアIDが、自セルと同じMBMSサービスエリアに含まれるならば、ST816へ移行する。含まれない場合は、ST817に移行し、端末装置２００は隣接セルへのセルリセレクション後に、隣接セルのMBMS SBを読み直す。【００６９】
ST816では、MBMSサブエリア判定部２０８で、隣接セルのMBMSサブエリアIDが、自セルで受信中のMBMSサービスを提供しているMBMSサービスエリアに含まれるかどうか判定する。含まれる場合はST818に移行し、端末装置２００はセルリセレクション後、MBMS SBを読み直す。受信中のMBMSサービスは継続して受信可能である。含まれない場合はST819に移行し、端末装置２００はセルリセレクション後、MBMS SBを読み直す。この時、自セルで受信中のMBMSサービスは、隣接セルでは提供されていない。【００７０】
端末装置２００の図示しないＭＢＭＳデータ受信部は、ＭＢＭＳデータをＭＴＣＨを介して受信し、図示しない再生部で受信したＭＢＭＳデータを再生する。【００７１】
以上のように、実施の形態１において、MBMSサービスエリアを構成するエリア単位としてMBMSサブエリアを定義する。基地局装置はMIBにMBMSサブエリアIDを、MBMS SBにMBMSサービスエリアに含まれるすべてのMBMSサブエリアIDを含んで送信する。端末装置は、MIBを報知チャネル(BCH)を介して受信することによって、自分のいるMBMSサブエリアIDを知り、MBMS SBを下り共有チャネル(DL-SCH)を介して受信することによって、自セルが属しているMBMSサービスエリアID及び、同じMBMSサービスエリアに含まれるMBMSサブエリアIDを知ることができる。また、隣接セルのMIBを報知チャネル(BCH)を介して受信することで、隣接セルが属しているMBMSサービスエリアを知ることができる。【００７２】
上記構成をとることにより、下り共有チャネル(DL-SCH)を介して送信されるMBMS SBをMBMSサブエリア単位でSFNコンバイニングできるように送信することが可能になる。また、端末装置はセル移動前に隣接セルのサービス状況を把握し、現在受けているサービスがセル移動後も継続して受けられるかどうかを知ることができる。この時、MIBには１つのMBMSサブエリアIDのみ追加すればよいので、MIBの変更は最小限で済む。【００７３】
なお、本実施の形態１では、MBMSサブエリア単位でMBMS SB がSFNコンバイニングされたが、SFNコンバイニングは、隣接セルが属しているMBMSサービスエリアを知るための必須の構成ではない。MBMS SBがSFNコンバイニングされずに、セル単位で送信される場合でも、端末装置は隣接セルのMBMSサブエリアIDを取得して、現在受信中のサービスが隣接セルでも受信できるかどうかを知ることが可能である。【００７４】
なお、MBMSサブエリアのエッジ部分のセルでのみ、MIBにMBMSサブエリアIDを含んで送信することも考えられる。これによって、MBMSサブエリア全体でのリソース消費を低減できる。【００７５】
また、端末装置はMIBの次にスケジューリングユニット1(Scheduling Unit 1：以下、「SU-1」という)を受信し、その次にMBMS SBを受信するという流れも考えられる。SU-1は、セルIDやアクセス制限関連のパラメータ、他のスケジューリングユニットのスケジューリング情報などを含み、ダウンリンク共有チャネル(DL-SCH, downlink shared channel)を介して送信される。この場合、MIBにはSU-1のスケジューリング情報が示され、SU-1でMBMS SBのスケジューリング情報が示されるという構成になる。これによって、MIBで送る情報を最低限にし、MIBのメッセージサイズをさらに削減することができる。【００７６】
また、MBMSサブエリアをトラッキングエリア(Tracking area)と同一のエリアとして運用することも考えられる。これによって、MBMSサブエリア用に新たにIDを追加する必要がなく、トラッキングエリアのIDを共用できる。【００７７】
なお、本実施の形態１では、基地局装置がMBMS SBを生成したが、これに限るものではなく、MCE等の無線制御装置がMBMS SBを生成し、基地局装置に送信してもよい。このような構成によって、基地局装置で個別にMBMS SBを生成する必要がないという効果がある。【００７８】
本実施の形態１に係る発明は、１以上のセルから構成されるサービスエリア内で１以上の移動端末に放送サービス又はマルチキャストサービスを提供するための無線送信手段と、前記サービスエリアは１以上のサブエリアに分割され、前記サブエリアにはサブエリア識別子が付与されており、スケジューリングブロックのスケジューリング情報と自セルが属するサブエリアのサブエリア識別子を含むマスター情報ブロックを送信するマスター情報ブロック送信手段と、前記放送サービス又はマルチキャストサービスが提供されるサブエリアの識別子を含む前記スケジューリングブロックを送信するスケジューリングブロック送信手段と、を具備する無線送信装置を提供する。【００７９】
上記無線送信装置は、自セルが属しているサービスエリアID及び、同じサービスエリアに含まれるサブエリアIDを無線受信端末に通知することができる。さらに、スケジューリングブロックをサブエリア単位でSFNコンバイニングできるように送信でき、無線受信装置がセル移動前に隣接セルのサービス状況を把握し、現在受けているサービスがセル移動後も継続して受けられるかどうかを把握することができる。【００８０】
上記無線送信装置では、さらに、スケジューリングブロックは、前記放送サービス又はマルチキャストサービスが提供されるサブエリアの内、前記自セルが属するサブエリアと隣接するサブエリアのサブエリア識別子を含む構成を採る。【００８１】
上記無線送信装置では、自セルが属しているサービスエリアID及び、同じサービスエリアに含まれるサブエリアIDを知ることができる。また、隣接セルが属しているサービスエリアを知ることができる。さらに、特に１つのサービスエリアに含まれるサブエリアの数が多い場合、スケジューリングブロックのメッセージサイズを削減することができる。【００８２】
本実施の形態１に係る発明は、１以上のセルから構成されるサービスエリア内で１以上の移動端末に放送サービス又はマルチキャストサービスを提供するための無線送信ステップと、前記サービスエリアは１以上のサブエリアに分割され、前記サブエリアにはサブエリア識別子が付与されており、スケジューリングブロックのスケジューリング情報と自セルが属するサブエリアのサブエリア識別子を含むマスター情報ブロックを送信するマスター情報ブロック送信ステップと、前記放送サービス又はマルチキャストサービスが提供されるサブエリアの識別子を含む前記スケジューリングブロックを送信するスケジューリングブロック送信ステップと、を具備する無線送信方法を提供する。【００８３】
上記無線送信方法は、自セルが属しているサービスエリアID及び、同じサービスエリアに含まれるサブエリアIDを無線受信端末に通知することができる。さらに、スケジューリングブロックをサブエリア単位でSFNコンバイニングできるように送信でき、無線受信方法がセル移動前に隣接セルのサービス状況を把握し、現在受けているサービスがセル移動後も継続して受けられるかどうかを把握することができる。【００８４】
本実施の形態１に係る発明は、さらに、スケジューリングブロックは、前記放送サービス又はマルチキャストサービスが提供されるサブエリアの内、前記自セルが属するサブエリアと隣接するサブエリアのサブエリア識別子を含む構成を採る無線送信方法を提供する。【００８５】
上記無線送信方法は、自セルが属しているサービスエリアID及び、同じサービスエリアに含まれるサブエリアIDを知ることができる。また、隣接セルが属しているサービスエリアを知ることができる。さらに、特に１つのサービスエリアに含まれるサブエリアの数が多い場合、スケジューリングブロックのメッセージサイズを削減することができる。【００８６】
（実施の形態２）
以下、本発明の実施の形態２に係る端末装置９００の構成について、図９のブロック図を用いて説明する。【００８７】
ここで、端末装置はセルリセレクションを行う前に、自セルの属しているMBMSサブエリアと移動先の隣接セルの属しているMBMSサブエリアを比較するものとする。MBMSサブエリア判定部９０１では、MIB受信部２０２から出力された隣接セルのMIBに含まれるMBMSサブエリアIDと、自セルのMIBに含まれるMBMSサブエリアID、及びMBMS SBに含まれるMBMSサービスエリアごとのMBMSサブエリアIDを比較し、その結果をセル移動制御部９０２に出力する。【００８８】
セル移動制御部９０２では、MBMSサブエリア判定部９０１からの出力結果に従って、端末装置のセル移動を制御する。ここで、自セルと隣接セルのMBMSサブエリアIDが同一であれば、セル移動制御部９０２はセルリセレクションを続行する。隣接セルのMBMSサブエリアIDが、受信中のMBMSサービスを提供しているMBMSサービスエリアに含まれる場合、セル移動制御部９０２はセルリセレクションを続行する。隣接セルのMBMSサブエリアIDが、受信中のMBMSサービスを提供しているMBMSサービスエリアに含まれない場合、または、自セルと同じMBMSサービスエリアに含まれない場合、セル移動制御部９０２は、セルリセレクションを抑制する、すなわち、セルリセレクションをせずに出来る限り今のセルに留まるように、隣接セルに切り替えず、自セルからの信号を受信し続けるように端末装置９００に指示する。セルリセレクションを中止することが出来ない場合、セル移動後に現在受信中のサービスが継続できなくなることを画面に表示する、警告音を発する、または端末装置が振動する、などして、ユーザに対し警告する。【００８９】
以上のように、実施の形態２において、端末装置がセルリセレクションを行う際に、自セルと隣接セルのMBMSサブエリアIDを比較し、その結果に応じた制御を行う。【００９０】
上記構成をとることにより、端末装置は現在受信中のサービスがセル移動後も継続して受信できる場合はセルリセレクションを行うが、現在受信中のサービスがセル移動後に受信できなくなる場合には、出来る限りセルリセレクションを行わないように、セルリセレクションを決定する自セルと隣接セルの受信品質の測定値の差分を大きく設定する。また、ユーザに対し警告を出すといった処置を行うことができる。【００９１】
なお、本実施の形態２では、MBMSサブエリア単位でMBMS SB がSFNコンバイニングされたが、SFNコンバイニングは、隣接セルが属しているMBMSサービスエリアを知るための必須の構成ではない。MBMS SBがSFNコンバイニングされずに、セル単位で送信される場合でも、端末装置は隣接セルのMBMSサブエリアIDを取得して、現在受信中のサービスが隣接セルでも受信できるかどうかを知ることが可能である。【００９２】
本実施の形態２に係る発明は、１以上のセルから構成されるサービスエリア内で１以上の移動端末に提供される放送サービス又はマルチキャストサービスを受信するための無線受信ステップと、前記サービスエリアは１以上のサブエリアに分割され、前記サブエリアにはサブエリア識別子が付与されており、スケジューリングブロックのスケジューリング情報と自セルが属するサブエリアのサブエリア識別子を含むマスター情報ブロックを受信するマスター情報ブロック受信ステップと、前記放送サービス又はマルチキャストサービスが提供されるサブエリアの識別子を含む前記スケジューリングブロックを受信するスケジューリングブロック受信ステップと、を具備する無線受信方法を提供する。【００９３】
上記無線受信方法は、セル移動前に隣接セルのサービス状況を把握し、現在受けているサービスがセル移動後も継続して受けられるかどうかを知ることができる。【００９４】
本実施の形態２に係る発明は、さらに、受信した隣接セルマスター情報ブロックからサブエリア識別子を抽出して記憶するセルサブエリア識別子記憶ステップと、前記隣接セルサブエリア識別子が前記スケジューリングブロックに含まれるかどうか判定する判定ステップと、を具備する無線受信方法を提供する。【００９５】
上記無線受信方法は、セルリセレクションの際、隣接セルに切り替えず、自セルからの信号を受信し続けるようにすることができる。セルリセレクションを中止することが出来ない場合、セル移動後に現在受信中のサービスが継続できなくなることをユーザに対し警告することができる。【００９６】
本実施の形態２に係る発明は、以上のセルから構成されるサービスエリア内で１以上の移動端末に提供される放送サービス又はマルチキャストサービスを受信するための無線受信ステップと、前記サービスエリアは１以上のサブエリアに分割され、前記サブエリアにはサブエリア識別子が付与されており、スケジューリングブロックのスケジューリング情報と自セルが属するサブエリアのサブエリア識別子を含むマスター情報ブロックを受信するマスター情報ブロック受信ステップと、前記放送サービス又はマルチキャストサービスが提供されるサブエリアの識別子を含む前記スケジューリングブロックを受信するスケジューリングブロック受信ステップと、を具備する無線受信方法を提供する。【００９７】
上記無線受信方法は、無線受信方法はセル移動前に隣接セルのサービス状況を把握し、現在受けているサービスがセル移動後も継続して受けられるかどうかを知ることができる。【００９８】
本実施の形態２に係る発明は、さらに、受信した隣接セルマスター情報ブロックからサブエリア識別子を抽出して記憶するセルサブエリア識別子記憶ステップと、前記隣接セルサブエリア識別子が前記スケジューリングブロックに含まれるかどうか判定する判定ステップと、を具備する無線受信方法を提供する。【００９９】
上記無線受信方法は、セルリセレクションの際、隣接セルに切り替えず、自セルからの信号を受信し続けるようにすることができる。セルリセレクションを中止することが出来ない場合、セル移動後に現在受信中のサービスが継続できなくなることをユーザに対し警告することができる。【０１００】
（実施の形態３）
本発明の実施の形態３は、実施の形態１において、MBMSサービスエリアに含まれるすべてのMBMSサブエリアIDを通知するのではなく、隣接しているMBMSサブエリアIDのみを通知する方法について説明する。同じMBMSサービスエリアに含まれるMBMSサブエリアの通知方法として、MBMS制御情報のひとつとして隣接MBMSサブエリア情報(Neighbour MBMS sub area Information)を生成し、これによって通知する方法がある。隣接MBMSサブエリア情報のメッセージ構成を図１０に示す。隣接MBMSサブエリア情報１００１で通知する場合は、図１０のように、隣接するMBMSサブエリアのIDと、各MBMSサブエリアで提供されているMBMSサービスIDを通知する。【０１０１】
図１１は、本実施の形態３において、端末装置がMBMS関連情報を受信する流れを示した図である。端末装置は下り共有チャネル(DL-SCH)を介して受信したMBMS SBによって、隣接MBMSサブエリア情報のスケジューリング情報を取得する。端末装置は、取得したスケジューリング情報に従って、隣接MBMSサブエリア情報を、MBMSポイント・ツー・マルチポイント制御チャネル(MCCH)を介して受信する。この時、隣接MBMSサブエリア情報はMBMSサブエリアでSFNコンバイニングされる。【０１０２】
以下、本発明の実施の形態３に係る基地局装置１２００の構成について、図１２のブロック図を用いて説明する。【０１０３】
MBMS関連情報記憶部１０３は、MBMSサービスエリアID、MBMSサービスID、MBMS制御情報関連情報等のMBMSに関連する情報を記憶し、記憶したMBMSサービスエリアID、MBMSサービスID等の情報をMBMS SB生成部１２０２に、MBMS制御情報関連情報等をMBMS制御情報生成部１２０３に出力する。また、MBMS制御情報の種別等の情報を、スケジューリング部１０６に出力する。【０１０４】
MBMS SB生成部１２０２は、MBMS関連情報記憶部１０３から出力されたMBMS関連情報と、スケジューリング部１０６から出力されたMBMS制御情報のスケジューリング情報に基づいてMBMS SBを生成し、生成したMBMS SBをMBMS SB送信部１０９に出力する。ここで生成したMBMS SBには、MBMSサービスエリアごとのMBMSサブエリアIDを含めない。【０１０５】
MBMS制御情報生成部１２０３は、MBMS関連情報記憶部１０３から出力されたMBMS制御情報関連情報に基づいてMBMS制御情報を生成し、生成したMBMS制御情報をMBMS制御情報送信部１１０に出力する。ここで、隣接するMBMSサブエリアIDと、各MBMSサブエリアで提供されているMBMSサービスIDを含む隣接MBMSサブエリア情報が生成される。【０１０６】
MIB送信部１０７は、MIB生成部１０２から出力されたMIBを、MBMS SB送信部１０９は、MBMS SB生成部１２０２から出力されたMBMS SBを、MBMS制御情報送信部１１０は、MBMS制御情報生成部１２０３から出力されたMBMS制御情報を、スケジューリング部１０６から出力されたスケジューリング情報に従って送信する。【０１０７】
次に、本発明の実施の形態３に係る端末装置１３００の構成について、図１３のブロック図を用いて説明する。【０１０８】
MBMS制御情報受信部２０４は、受信部２０１から出力されたMBMS制御情報を受信し、受信したMBMS制御情報の中から隣接MBMSサブエリア情報を抽出し、隣接MBMSサブエリア情報取得部１３０１に出力する。【０１０９】
隣接MBMSサブエリア情報取得部１３０１は、MBMS制御情報受信部２０４から出力された隣接MBMSサブエリア情報から、隣接するMBMSサブエリアのIDを抽出し、MBMSサブエリア判定部１３０２に出力する。【０１１０】
MBMSサブエリア判定部１３０２は、MIB受信部２０２から出力された隣接セルのMBMSサブエリアIDと、隣接MBMSサブエリア情報取得部１３０１から出力された、隣接MBMSサブエリアのIDとを比較し、現在受信しているMBMSサービスを提供しているMBMSサービスエリアに、隣接セルのMBMSサブエリアが含まれているかどうかを判定する。【０１１１】
以上のように、実施の形態３において、基地局装置は隣接MBMSサブエリア情報によって、同じMBMSサービスを提供している隣接MBMSサブエリアを通知する。MBMSサブエリアは複数のセルによって構成されたエリアなので、端末装置の移動速度を考えて、隣接MBMSサブエリア情報を取得するより前に、隣接MBMSサブエリアを通り過ぎて、隣接MBMSサブエリアのさらに先のMBMSサブエリアまで移動することはないと考えられる。従って、端末装置はMBMSサービスエリア全体に含まれるMBMSサブエリアの情報を知る必要はなく、隣接しているMBMSサブエリアで提供されているMBMSサービスがわかれば問題はないといえる。【０１１２】
上記構成をとることにより、特に１つのMBMSサービスエリアに含まれるMBMSサブエリアの数が多い場合、MBMS SBのメッセージサイズを削減することができる。【０１１３】
なお、隣接MBMSサブエリア情報を用いずに、MBMS SBによって隣接MBMSサブエリアで配信されているMBMSサービスを通知することも考えられる。この場合は、MBMSサービスエリアごとに含まれるMBMSサブエリアの中から、隣接するMBMSサブエリアのIDのみを通知する。【０１１４】
なお、MBMSサブエリアのエッジ部分のセルでのみ、隣接サブエリア情報を送信することも考えられる。これによって、MBMSサブエリア全体でのリソース消費を低減できる。【０１１５】
本実施の形態３に係る発明は、１以上のセルから構成されるサービスエリア内で１以上の移動端末に放送サービス又はマルチキャストサービスを提供するための無線送信手段と、前記サービスエリアは１以上のサブエリアに分割され、前記サブエリアにはサブエリア識別子が付与されており、スケジューリングブロックのスケジューリング情報と自セルが属するサブエリアのサブエリア識別子を含むマスター情報ブロックを送信するマスター情報ブロック送信手段と、前記放送サービス又はマルチキャストサービスが提供されるサブエリアの識別子を含む前記スケジューリングブロックを送信するスケジューリングブロック送信手段と、制御情報を送信する制御情報送信手段を有する構成を採り、前記制御情報は、前記放送サービス又はマルチキャストサービスが提供されるサブエリアの内、前記自セルが属するサブエリアと隣接するサブエリアのサブエリア識別子と、前記サブエリアにおいて提供されるサービスを識別するサービス識別子とを含む無線送信装置を提供する。【０１１６】
上記無線送信装置は、自セルが属しているサービスエリアID及び、同じサービスエリアに含まれるサブエリアIDを知ることができる。また、隣接セルが属しているサービスエリアを知ることができる。さらに、特に１つのサービスエリアに含まれるサブエリアの数が多い場合、スケジューリングブロックのメッセージサイズを削減することができる。【０１１７】
本実施の形態３に係る発明は、１以上のセルから構成されるサービスエリア内で１以上の移動端末に放送サービス又はマルチキャストサービスを提供するための無線送信ステップと、前記サービスエリアは１以上のサブエリアに分割され、前記サブエリアにはサブエリア識別子が付与されており、スケジューリングブロックのスケジューリング情報と自セルが属するサブエリアのサブエリア識別子を含むマスター情報ブロックを送信するマスター情報ブロック送信ステップと、前記放送サービス又はマルチキャストサービスが提供されるサブエリアの識別子を含む前記スケジューリングブロックを送信するスケジューリングブロック送信ステップと、制御情報を送信する制御情報送信ステップを有する構成を採り、前記制御情報は、前記放送サービス又はマルチキャストサービスが提供されるサブエリアの内、前記自セルが属するサブエリアと隣接するサブエリアのサブエリア識別子と、前記サブエリアにおいて提供されるサービスを識別するサービス識別子とを含むことを特徴とする無線送信方法を提供する。【０１１８】
上記無線送信方法は、自セルが属しているサービスエリアID及び、同じサービスエリアに含まれるサブエリアIDを知ることができる。また、隣接セルが属しているサービスエリアを知ることができる。さらに、特に１つのサービスエリアに含まれるサブエリアの数が多い場合、スケジューリングブロックのメッセージサイズを削減することができる。【０１１９】
（実施の形態４）
本発明の実施の形態４では、エリア内のユーザの有無を確認するために基地局装置(eNB)が行うカウンティングの結果によって、該当するMBMSサービスを受信したがっているユーザのいないMBMSサブエリアへのMBMSサービス配信を停止した場合、MBMS SBのみが変更されることによって、NotificationはMBMSサービスエリア単位でSFNコンバイニングできるように送信されることを可能にする。【０１２０】
カウンティングは、基地局装置がエリア（セル、MBMSサブエリア、MBMSサービスエリア等）内でMBMSサービスを受信したがっている端末装置の有無を確認するために行う。基地局装置の図示しないカウンティングリクエスト送信部はエリア内の端末装置に対してカウンティングリクエスト（カウンティング要求、Counting Request）を送信し、カウンティングリクエストを受信した端末装置の図示しないカウンティングレスポンス送信部が、該当するMBMSサービスを受信したい場合に、基地局装置に対してカウンティングレスポンス（カウンティング応答、Counting Response）を返す。これによって、基地局装置の図示しないカウンティングレスポンス受信部がカウンティングレスポンスを受信し、図示しないカウンティング部によってエリア内でMBMSサービスを受信したがっている端末装置の有無を確認、判定する。【０１２１】
図１４は、本発明の実施の形態４に係る、カウンティング時の基地局装置と端末装置のシグナリングフローを説明するための図である。以下、図１４を用いて、カウンティング時の基地局装置と端末装置の動作について説明する。【０１２２】
図１４(a)に示すように、基地局装置は端末装置に通知情報(Notification)を送信することによって、カウンティングリクエストを行う。基地局装置からのカウンティングリクエストを受けた端末装置は、カウンティングが必要なMBMSサービスのID、カウンティングをいつまで行うかを示すパラメータである確率因子(probability factor)、カウンティングを行う必要のある端末装置の状態などの情報を含むアクセス情報(Access information)を受信し、端末装置の受信したいMBMSサービスがある場合には、カウンティングレスポンスを基地局装置に送信する。カウンティングレスポンスには、端末装置が今いるMBMSサブエリアのIDと、受信したいMBMSサービスのIDを含む。Access Informationは、最初MBMSサービスエリア単位でSFNコンバイニングできるように送信されるが、カウンティングレスポンスの受信数が閾値に達したMBMSサブエリアからAccess Informationの送信を止めることで、SFNコンバイニングはMBMSサブエリア単位となる。またこの時、カウンティングレスポンスの返ってこないMBMSサブエリアがある場合、そのMBMSサブエリアは該当するMBMSサービスを受けたい端末装置がいないと見なされ、MBMSサービスの配信が停止される。ここで、配信を停止したMBMSサービスについて、該当MBMSサブエリアのMBMS SBからMBMSサービスIDが削除され、現在配信されているMBMSサービス（すなわちアクティブなサービス、又は、サービスがオン状態のサービス）のMBMSサービスIDのみとなる。また、MBMSサービスの配信が停止されたことは、隣接するMBMSサブエリアにも通知される。隣接するMBMSサブエリアでは、隣接MBMSサブエリア情報に含まれる該当MBMSサブエリアの該当MBMSサービスIDが削除される。【０１２３】
次に図１４(b)の示すように、新しく該当MBMSサブエリアに入ってきた端末装置は、まずMBMS SBを受信する。ここで、MBMS SBでは、現在MBMSサブエリアで配信されているMBMSサービスIDが通知される。次に端末装置はNotificationを受信する。NotificationはMBMSサブエリア単位でSFNコンバイニングできるように送信されており、MBMSサービスエリア内で提供されるすべてのMBMSサービスIDが通知される。端末装置はNotificationとMBMS SBを比較して、自分のいるMBMSサービスエリアで受けることのできるMBMSサービス(Notificationに示される)が、現在自分のいるMBMSサブエリア内では配信されていなかった（MBMS SBに示される）場合、基地局装置に対してサービスリクエストを送信することができる。サービスリクエストには、MBMSサブエリアIDと、リクエストしたいMBMSサービスIDが含まれる。端末装置からのサービスリクエストを受けたら、基地局装置はリクエストされたMBMSサービスの配信を再開する。【０１２４】
以上のように、実施の形態４において、カウンティングの結果によって、該当するMBMSサービスを受信したがっているユーザのいないMBMSサブエリアへのMBMSサービス配信が停止された場合、MBMS SBでは現在配信されているMBMSサービスIDのみが通知され、NotificationではMBMSサービスエリア内で提供可能なすべてのMBMSサービスIDが通知される。【０１２５】
上記構成をとることにより、カウンティングによって、同じMBMSサービスエリア内でMBMSサブエリアごとに配信中のMBMSサービスが変わった場合でも、NotificationがMBMSサービスエリア単位でSFNコンバイニングされることが可能となり、Notificationを効率的に通知できる。【０１２６】
なお、カウンティングの管理及びMBMS SBのメッセージ変更は、基地局装置で行う場合だけでなく、MCEで行う場合も考えられる。これによって、MBMSサービスエリアなどの広い範囲のエリアにおける処理を一括して行うことができるようになる。【０１２７】
（実施の形態５）
実施の形態１において、MBMSサブエリア内に、MBSFN受信が不可能な屋内エリア(屋内セル、indoorエリア、indoorセル等。以下、屋内エリアとする)がある場合に、端末装置の移動中にMBMSデータの受信が中断されてしまうことが考えられる。そこで、セル（以下、本実施の形態においてマクロセルと称する。）でMBMSデータを受信している端末装置が、屋内エリアに移っても継続してMBMSデータを受信できるように、屋内エリアではSC-PTM (Single Cell point-to-multipoint)に切り替えてMBMSデータの送信を行う必要がある。上記屋内エリアの例としては、ビルなどの建物内や地下街、トンネルや地下鉄、Closed Subscriber Group (CSG)セルなどが挙げられる。屋内エリアに設置される基地局（以下、屋内基地局とする）として、例えばビル内でのモバイルコミュニケーションシステムであるInbuilding Mobile Communication System (IMCS：登録商標)などがある。【０１２８】
図２０は、本発明の実施の形態５に係る、マクロセルと屋内エリアのエリア概念図である。図２０において、屋内エリアは、マクロセルよりも小さいものであり、１つのマクロセルのエリア内に完全に含まれる場合と、２つ以上のマクロセルにまたがっている場合とがあるものとする。図２０において、屋内エリア内ではMBSFN受信ができないものとする。【０１２９】
図２１は、本発明の実施の形態５に係る屋内基地局装置の構成を示すブロック図である。
MBMS関連情報記憶部２１０１は、MBMSサービスID、MBMSセッションID、MBMSデータのスケジューリング情報等のMBMSに関連する情報を記憶し、記憶したMBMSサービスID等の情報をMBMS制御情報生成部２１０２に出力する。また、MBMS関連情報記憶部２１０１は、MBMS制御情報及びMBMSデータのデータサイズ等の情報を、スケジューリング部２１０３に出力する。【０１３０】
MBMSサブエリアID記憶部２１０４は、屋内エリアが属しているMBMSサブエリアの情報を記憶している。記憶したMBMSサブエリアIDは、MBMS制御情報生成部２１０２に出力される。【０１３１】
MBMS制御情報生成部２１０２は、MBMS関連情報記憶部２１０１から出力されたMBMS制御情報関連情報とMBMSサブエリアID記憶部２１０４から出力されたMBMSサブエリアIDとに基づいて、MBMS制御情報を生成し、生成したMBMS制御情報をMBMS制御情報送信部２１０７に出力する。【０１３２】
MBMSデータ記憶部２１０５は、屋内エリア内で送信可能なMBMSデータを記憶し、記憶したMBMSデータをMBMSデータ送信部２１０６に出力する。【０１３３】
スケジューリング部２１０３は、MBMS関連情報記憶部２１０１から出力されたMBMS制御情報及びMBMSデータのデータサイズ等の情報を取得し、これらに基づいてMBMS制御情報及びMBMSデータのスケジューリング情報を決定する。決定されたMBMS制御情報及びMBMSデータのスケジューリング情報は、送信部に出力される。【０１３４】
MBMS制御情報送信部２１０７は、MBMS制御情報生成部２１０２から出力されたMBMS制御情報を、スケジューリング部２１０３から出力されたスケジューリング情報に従って、アンテナ２１０８を介して送信する。MBMSデータ送信部２１０６は、MBMSデータ記憶部２１０５から出力されたMBMSデータを、スケジューリング部２１０３から出力されたスケジューリング情報に従って、アンテナ２１０８を介して送信する。【０１３５】
図２２は、本発明の実施の形態５に係る端末装置の構成を示すブロック図である。【０１３６】
受信部２２０１は、マクロセル及び屋内エリアの基地局装置から送信された信号をアンテナ２２０７を介して受信し、受信した信号のうち、MBMS制御情報をMBMS制御情報受信部２２０２に、MBMSデータをMBMSデータ取得部２２０３にそれぞれ出力する。【０１３７】
MBMS制御情報受信部２２０２は、受信部２２０１から出力されたMBMS制御情報関連情報をMBMS制御情報記憶部２２０４に出力する。【０１３８】
MBMS制御情報記憶部２２０４は、MBMS制御情報受信部２２０２から出力されたMBMS制御情報関連情報のうち、MBMSサブエリアIDをMBMSサブエリア判定部２２０５に、MBMS制御情報及びMBMSデータのスケジューリング情報をスケジューリング情報処理部２２０６に出力する。【０１３９】
MBMSサブエリア判定部２２０５は、MBMS制御情報記憶部２２０４から出力されたMBMSサブエリアIDをもとに、現在受信しているMBMSサービスを提供しているMBMSサービスエリアに、隣接マクロセルのMBMSサブエリアが含まれているかどうか、屋内エリアが属しているMBMSサブエリアが、直前にいたマクロセルの属しているMBMSサブエリアと同一であるかどうかを判定する。MBMSサブエリア判定部２２０５は、判定結果を、スケジューリング情報処理部２２０６に出力する。【０１４０】
スケジューリング情報処理部２２０６は、MBMS制御情報記憶部２２０４から出力されたMBMS制御情報及びMBMSデータのスケジューリング情報と、MBMSサブエリア判定部２２０５から出力された判定結果とに基づいて、端末装置の受信スケジュールを決定する。決定された受信スケジュールは、受信部２２０１に出力される。【０１４１】
図２３は、本発明の実施の形態５に係る、屋内基地局装置と端末装置のシーケンス図である。また図２４は、本発明の実施の形態５に係る端末装置における、屋内エリアでMBMSデータを受信するまでの動作を示したフローチャートである。なお図２３は、屋内エリアがマクロセルと同一MBMSサブエリア内であり、屋内エリアでMBMSデータが送信されていない場合のシーケンス図を示す。【０１４２】
端末装置は、マクロセルの基地局装置からMBMS制御情報を受信し（ST2411）、受けたいMBMSサービスがあれば、MBSFNでMBMSデータを受信する(ST2412)。【０１４３】
端末装置が屋内エリア内に入ると、マクロセルの基地局装置からのMBMSデータ受信ができなくなる(ST2413)。ステップST2413において、端末装置は屋内基地局装置から報知情報を受信し、報知情報にMBMSサブエリアIDが含まれていないことから、MBSFNが受信できないエリア、すなわち屋内エリアに入ったことを認識する。【０１４４】
続いて端末装置は、屋内エリア用のMBMS制御情報を受信し（ST2414）、その中に含まれるMBMSサブエリアIDを取得する。この時、屋内エリアのMBMSサブエリアが、直前にいたマクロセルのMBMSサブエリアと同一の場合(ST2415：Yes、ST2416：Yes)、端末装置は、マクロセルでのMBMS受信のための設定を再利用して、屋内エリア内でも同一のMBMSサービスを受けることができる。一方、屋内エリアとマクロセルのMBMSサブエリアは異なる（ST2415：No）が、MBMSサービスエリアが同じである（ST2417：Yes）場合において、屋内エリア内で、端末装置が受信したいMBMSサービスが送信されている場合（ST2416：Yes）、マクロセルでのMBMS受信のための設定を再利用して、屋内エリア内でも同一のMBMSサービスを受けることができる（ST2420）。屋内エリアでどのようなMBMSサービスが送信されているかは、屋内基地局装置から送信されるMBMS制御情報で示されるため、端末装置は、このMBMS制御情報を参照してST2416の判断を行う。【０１４５】
屋内エリア内でMBMSサービスが送信されていない場合（ST2416：No）は、サービスリクエスト処理（ST2419）に移行する。ST2419において、端末装置は、屋内基地局装置にRRC接続要求メッセージ（RRC connection request）を送信し、RRCコネクションを確立して、MBMSサービスの送信を要求する。屋内基地局装置は、端末装置からの要求を受けて、MBMS制御装置にMBMSサービスの配信を要求する。これによって、端末装置は、屋内エリア内でマクロセルと同一のMBMSデータを受信できるようになる（ST2420）。【０１４６】
その後、端末装置が屋内エリアから出ると、屋内基地局とのRRCコネクションを解放し（RRC connection release）、再びマクロセル基地局装置からMBMSデータを受信（MBSFN）する。【０１４７】
屋内エリアとマクロセルのMBMSサブエリアもMBMSサービスエリアも両方とも異なる場合（ST2415：No、ST2417：No）は、端末装置は直前にマクロセルで受信していたMBMSデータを屋内エリア内で受信することができないので、再びマクロセルに出た後で、MEMS制御情報およびMBMSデータを受信する（ST2418）。【０１４８】
以上のように、実施の形態５において、屋内エリア内でMBMSサブエリア情報を端末装置に通知することで、屋内エリアがマクロセルと同じサービスエリア内であれば、屋内エリア内に入っても、端末装置はマクロセルの設定を再利用して同一のMBMSサービスを受信することができる。【０１４９】
屋内エリアで通知するMBMS制御情報には、MBMSサブエリアID、屋内エリア内で現在送信されているMBMSサービス、及び現在送信されていないが提供可能なMBMSサービスのMBMSサービスID及びセッションID、 MBMSデータの送られるリソースを示したID（MBMS-Radio Network Temporary Identifier。以下、MBMS-RNTIとする）、MBMSデータのスケジューリング情報（タイムウインドウ情報）などがある。【０１５０】
なお、異なるMBMSサブエリアに属するマクロセルの間にまたがって配置されている屋内エリアの場合には、屋内エリア内で2つのMBMSサブエリアそれぞれで提供されているMBMSサービスに関する情報を送ることも考えられる。この時、屋内エリアでは2つのMBMSサブエリアIDを通知する。【０１５１】
また、上記の場合で屋内エリアがどちらか一方のMBMSサブエリアに完全に属している場合に、属している方のMBMSサブエリアで提供されているMBMSサービスに関する情報のみを送ることも考えられる。この時、屋内エリアでは属している方のMBMSサブエリアIDが通知される。もう一方のMBMSサブエリアでしか提供されていないMBMSサービスを屋内エリア内で受信することはできない。【０１５２】
なお、屋内エリアの報知情報で、屋内エリアであることを示す情報（1ビットフラグなど）を送ることも考えられる。このようにすれば、端末装置は、屋内エリアの報知情報を受信することで、屋内エリア内に入ったことを認識することができ、続いてMBMSサービス受信のために屋内エリアのMBMS制御情報を受信することができる。【０１５３】
なお、屋内エリアでは通常はMBMS制御情報を送信しておらず、屋内エリア内でMBMSサービスを受信したい端末装置からの要求に応じて、屋内基地局装置がMBMS制御情報の送信を開始することも考えられる。この場合、MBMSサービスを受信したい端末装置が屋内エリア内にいなくなった、すなわち、端末装置がマクロセルに出た時点で、屋内基地局装置はMBMS制御情報の送信を停止する。【０１５４】
なお、本実施の形態５ではマクロセルと屋内エリアとが混在する場合の例を示したが、屋内エリアに限らず、MBMSサブエリア内のセルでシングルセル送信（シングルセルトランスミッション、SC-PTM）のみを行っているセルが存在する場合も、SC-PTMでMBMSサブエリアIDを通知することで、同様の効果を得ることができる。【０１５５】
（実施の形態６）
本実施の形態６では、実施の形態４におけるカウンティング判定に、さらに端末装置のモビリティ状態を加味することで、無駄なサービスのオンオフ切り替えを削減することを考える。【０１５６】
図２５は、本発明の実施の形態６に係る端末装置の構成を示すブロック図である。【０１５７】
受信部２５０１は、基地局からの報知情報及びMBMS制御情報を受信し、それぞれ報知情報受信部２５０２、MBMS制御情報受信部２５０３に出力する。【０１５８】
報知情報受信部２５０２は、受信部２５０１から出力された報知情報の中から、モビリティ状態を判定するために必要なパラメータを抽出し、モビリティ判定部２５０７に出力する。【０１５９】
セル移動回数計測部２５０５は、端末装置のセル移動回数を計測し、その結果をモビリティ判定部２５０７に出力する。【０１６０】
モビリティ判定部２５０４は、報知情報受信部２５０３から出力されたパラメータとセル移動回数計測部２５０５から出力された端末装置のセル移動回数とをもとに、規定時間内に端末装置が何回セル移動したかによって、端末装置のモビリティ状態を決定する。また、モビリティ判定部２５０４は、決定した端末装置のモビリティ状態を、モビリティ情報記憶部２５０６に出力する。【０１６１】
モビリティ情報記憶部２５０６は、モビリティ判定部２５０４から出力された端末装置のモビリティ状態を記憶し、カウンティング応答作成部２５０７に出力する。
MBMS制御情報受信部２５０３は、受信部２５０１から出力されたMBMS制御情報を受信し、カウンティング要求をカウンティング要求受信部２５０８に、その他のMBMS制御情報関連情報をMBMS制御情報記憶部２５０９に出力する。【０１６２】
カウンティング要求受信部２５０８は、MBMS制御情報受信部２５０３から出力されたカウンティング要求を受けて、カウンティング応答作成部２５０７にカウンティング応答の作成を指示する。【０１６３】
MBMS制御情報記憶部２５０３は、カウンティング応答作成部２５０７に、カウンティング応答に含まれるMBMSサブエリアID、MBMSサービスIDなどの情報を出力する。【０１６４】
カウンティング応答作成部２５０７は、カウンティング要求受信部２５０８からのカウンティング応答作成指示を受けて、MBMS制御情報記憶部２５０９から出力されたMBMSサブエリアID、MBMSサービスIDなどの情報と、モビリティ情報記憶部２５０６から出力された端末装置のモビリティ状態の情報とを含んだカウンティング応答メッセージを作成し、送信部２５１０に出力する。【０１６５】
送信部２５１０は、カウンティング応答作成部２５０７から出力されたカウンティング応答メッセージをアンテナ２５１１を介して送信する。【０１６６】
カウンティングレスポンスに含まれる端末装置のモビリティ状態には、High、Medium、Normalの3段階がある。また、モビリティ状態の判定に用いるパラメータは、端末装置のセル移動回数を計測する規定時間を示すパラメータ（T_CRMAX）と、端末装置のセル移動回数の閾値を示すパラメータ（N_CR_M及びN_CR_H）とがある。端末装置がT_CRMAX時間内にN_CR_M回数以上セル移動をした場合、端末装置のモビリティ状態はMediumとなり、N_CR_H回数以上セル移動をした場合、端末装置のモビリティ状態はHighとなる。N_CR_Mよりセル移動回数が少ない場合、端末装置のモビリティ状態はNormalとなる。ただし、端末装置が同じ2つのセル間を移動している場合は、セル移動回数に計測しない。
カウンティングを行った場合において、同一MBMSサービスエリアの隣接MBMSサブエリアにHighモビリティ状態の端末が存在するときは、MBMSサービスの送信をオンにする。【０１６７】
以上のように、カウンティングレスポンスに端末装置のモビリティ情報を含むことで、マクロセル基地局装置またはMBMS制御装置は、あるMBMSサブエリア内にはMBMSサービスを受信したい端末がいない場合であっても、隣接MBMSサブエリアに、MBMSサービスを受信したいHighモビリティな端末が存在し、自分のMBMSサブエリア内に向かって移動してくるときは、MBMSサービスの送信をオフとせず送信を続けるので、不必要なMBMSサービスのオンオフ切り替えの発生を削減することができる。【０１６８】
さらに、カウンティングレスポンスに端末装置の移動履歴を付加することによって、端末装置の移動方向も考慮したカウンティングを行うことができる。例えば、過去にいたMBMSサブエリアのIDを記憶し、端末装置のモビリティ状態がMediumあるいはHighの場合は、カウンティングレスポンスに移動履歴も含めて送信することが考えられる。【０１６９】
以上の構成によって、端末装置のモビリティを考慮したカウンティングの精度を高めることができ、不要なMBMSサービスのオンオフ切り替えの発生を削減することができる。【０１７０】
本発明を詳細にまた特定の実施態様を参照して説明したが、本発明の精神と範囲を逸脱することなく様々な変更や修正を加えることができることは当業者にとって明らかである。【０１７１】
本出願は、2007年6月19日出願の日本特許出願（特願2007−161069）、2008年3月31日出願の日本特許出願（特願2008−089890）、に基づくものであり、その内容はここに参照として取り込まれる。
【産業上の利用可能性】
【０１７２】
本発明に係る無線送信方法、無線受信方法、無線送受信方法、無線送信装置、無線受信装置、無線送受信システム、通信基地局装置及び、無線通信端末装置、無線送信方法及び無線受信方法は、端末装置がセル移動前に隣接セルのマルチキャスト・ブロードキャストサービス状況を効率的に取得することができ、例えば、移動通信システムに適用できる。
【図１】
2008155915.tif 000003
【図２】
2008155915.tif 000004
【図３】
2008155915.tif 000005
【図４】
2008155915.tif 000006
【図５】
2008155915.tif 000007
【図６】
2008155915.tif 000008
【図７】
2008155915.tif 000009
【図８】
2008155915.tif 000010
【図９】
2008155915.tif 000011
【図１０】
2008155915.tif 000012
【図１１】
2008155915.tif 000013
【図１２】
2008155915.tif 000014
【図１３】
2008155915.tif 000015
【図１４】
2008155915.tif 000016
【図１５】
2008155915.tif 000017
【図１６】
2008155915.tif 000018
【図１７】
2008155915.tif 000019
【図１８】
2008155915.tif 000020
【図１９】
2008155915.tif 000021
【図２０】
2008155915.tif 000022
【図２１】
2008155915.tif 000023
【図２２】
2008155915.tif 000024
【図２３】
2008155915.tif 000025
【図２４】
2008155915.tif 000026
【図２５】
2008155915.tif 000027
【手続補正書】
【提出日】平成21年12月15日(2009.12.15)
【手続補正１】
【補正対象書類名】明細書
【補正対象項目名】全文
【補正方法】変更
【補正の内容】
【発明の詳細な説明】
【技術分野】
【０００１】
本発明は、無線通信の技術分野に関し、特にマルチメディア・ブロードキャスト／ マルチキャスト・サービス（MBMS: Multimedia Broadcast/Multicast Service）を行う無線通信基地局装置、無線通信端末装置、無線送信方法及び無線受信方法に関する。
【背景技術】
【０００２】
移動体通信の分野においては、近年、放送サービス又はマルチキャストサービスであるマルチメディア・ブロードキャスト／マルチキャスト・サービス（MBMS: Multimedia Broadcast/Multicast Service: 以下、「MBMS」という）に関する技術的な検討が行われている。ＭＢＭＳは、１対１の通信ではなく、１対多の通信であり、１つの基地局装置が複数の端末装置に対して同時に同一データ（例えば、音楽データやビデオ画像データ等）を送信する。
【０００３】
ＭＢＭＳの利点としては以下のことが挙げられる。すなわち、ストリーミング・サービス等で、基地局装置から送信される情報をそれぞれの通信端末装置が個別チャネルを１チャネルずつ使用して受信すると、その情報を受信したい通信端末装置が増えた場合に、無線回線にかかる負荷が大きくなってしまう。しかし、ＭＢＭＳを使用すると、通信端末装置が増えた場合でもそれらの通信端末装置全てが同じチャネルを使用して情報を受信するので、無線回線にかかる負荷を増大させることなく情報受信できる通信端末装置を増加させることができる。現在、ＭＢＭＳを用いたサービスとしては、交通情報の配信、音楽配信、駅でのニュース配信、スポーツ中継の配信等が考えられている。
【０００４】
次に、共通のサービスが提供されるエリアであるMBMSサービスエリア（MBMS Service area）について図１５を用いて説明する。図１５に示すように、MBMSサービスエリアは複数のセルの集まりとして構成される。図１５における六角形それぞれがセルを表す。MBMSサービスエリア内では、共通のMBMSサービスが配信される（1つのMBMSサービスエリア内で配信されるMBMSサービスは1つでも複数でもよい）。MBMSサービスエリア内では、エリア内の複数の基地局でタイミングを合わせて同じデータを送信するSFN合成（ＳＦＮコンバイニング、Single Frequency Network combining)を行う。同一タイミングで送信されたデータは、無線上で混ざり合って端末に届き、OFDM通信方式の場合、ガードインターバル(GI, Guard Interval)の期間内であれば、互いに干渉せず合成が可能である。セルエッジのように自分の基地局からの電波が弱い位置にいる端末でも、隣接基地局からの信号と合成されたデータを受信するので、SFNコンバイニングによって、エリア全体に効率的にMBMSデータを配信することができる。MBMSサービスエリアは、共通のMBMSサービスが配信される範囲である。図１５の例では、MBMSサービスエリア１、２、３でそれぞれ異なるMBMSサービスが提供される。MBMSサービスエリアが重なっているセルでは、重なっているすべてのMBMSサービスエリアで提供されているMBMSサービスを受けることができる。例えば、図１５のMBMSサービスエリア１でニュース番組１と音楽配信サービスが提供されており、MBMSサービスエリア２でニュース番組２とスポーツ番組が提供されており、MBMSサービスエリア３で交通情報が提供されているとする。ここで、MBMSサービスエリア１と２の重なっている部分ではニュース番組１及び２と音楽配信サービス、スポーツ番組を受けることができる。MBMSサービスエリア１、２、３の重なっている部分に位置するセルでは、3つのMBMSサービスエリアで提供されているすべてのMBMSサービスを受けることができる。
【０００５】
端末がMBMSサービスを受信するために必要な制御情報の受信手順を、図１６を用いて説明する。端末はまず、報知情報であるマスター情報ブロック(Master Information Block:以下、「MIB」という)を報知チャネル(BCH, broadcast channel)を介して受信する。MIBとは、端末が最初に受信する報知情報であり、物理レイヤに関するパラメータや次に受信する情報のスケジューリング情報などを含むメッセージである。次に、MIBに含まれるスケジューリング情報に従って、MBMSの制御情報のスケジューリング情報を運ぶメッセージであるMSMSスケジューリングブロック（MBMS Scheduling Block: 以下、「MBMS SB」という）を下り共有チャネル(DL-SCH: downlink shared channel)を介して受信する。MIBとMBMS SBのメッセージ構成を図１７に示す。MBMS SBは、セルが属している各MBMSサービスエリアのIDと、提供されているMBMSサービスのID、及びMBMSサービスを受信するための設定等に必要なMBMSの制御情報のスケジューリング情報等を含む。
【０００６】
端末は、MBMS SBに指示されたスケジューリング情報に従って、通知情報(Notification)、アクセス情報(Access Information)、MBMS一般情報(MBMS General Information)、MBMS無線ベアラ情報(MBMS Radio Bearer Information: 以下、「MBMS RB Information」という)の順に、MBMSポイント・ツー・マルチポイント制御チャネル(MCCH: mbms point-to-multipoint control channel)を介して受信する。その後、受信した制御情報をもとに、MBMSポイント・ツー・マルチポイントトラフィックチャネル(MTCH, mbms point-to-multipoint traffic channel)を介してMBMSコンテンツを受信する。
【０００７】
全てのMBMSサービスエリアに対して個々のMBMS SBを使用する場合には端末が複数のMBMS SBを読む必要があるため、動作として複雑になってしまう。そのため、全てのMBMSサービスエリアに対して共通のMBMS SBを使用することが有効である。ただしこの場合には、MBMS SBは、セルごとに属しているMBMSサービスエリアが異なるため、セル単位で送信する必要がある。NotificationやAccess Informationのようなサービスに関する情報はMBMSサービスエリア全体で共通のため、MBMSサービスエリア単位でコンバイニングできるように送信することができ、MBMS Generation InformationやMBMS RB Informationは、周波数やタイマ、無線ベアラ(RB)の設定情報なので、オペレータが設定したネットワーク(PublicLand Mobile Network: 以下、「PLMN」という)レベルでコンバイニングできるように送信することができることを考えると、MBMS SBのみセル単位で送信する動作は非効率であるといえる。
【０００８】
以下、本発明の背景技術に係る基地局装置１８００の構成について、図１８のブロック図を用いて説明する。
【０００９】
報知情報記憶部１８０１は、MIBに関連する情報を記憶し、記憶したMIB関連情報をMIB生成部１８０２に出力する。
【００１０】
MBMS関連情報記憶部１８０３は、MBMSサービスエリアID、MBMSサービスID、MBMS制御情報関連情報等のMBMSに関連する情報を記憶し、記憶したMBMSサービスエリアID、MBMSサービスID 等の情報をMBMS SB生成部１８０４に、MBMS制御情報関連情報等をMBMS制御情報生成部１８０５に出力する。また、MBMS制御情報のデータサイズ等の情報を、スケジューリング部１８０６に出力する。
【００１１】
MBMS制御情報生成部１８０５は、MBMS関連情報記憶部１８０３から出力されたMBMS制御情報関連情報に基づいて、MBMS制御情報を生成し、生成したMBMS制御情報をMBMS制御情報送信部１８０９に出力する。
【００１２】
MBMS SB生成部１８０４は、MBMS関連情報記憶部１８０３から出力されたMBMS関連情報と、スケジューリング部１８０６から出力されたMBMS制御情報のスケジューリング情報に基づいてMBMS SBを生成し、生成したMBMS SBをMBMS SB送信部１８０８に出力する。
【００１３】
MIB生成部１８０２は、報知情報記憶部１８０１から出力されたMIB関連情報と、スケジュールリング部１８０６から出力されたMBMS SBのスケジューリング情報に基づいてMIBを生成し、生成したMIBをMIB送信部１８０７に出力する。
【００１４】
スケジューリング部１８０６は、MBMS関連情報記憶部１８０３から出力されたMBMS制御情報のデータサイズ等の情報を取得し、これらに基づいてMBMS制御情報のスケジューリング情報を決定する。決定されたMBMS制御情報のスケジューリング情報は、MBMS SB生成部１８０４に出力される。また、MBMS SBのスケジューリング情報をMIB生成部１８０２とMBMSSB送信部１８０８に、MIBのスケジューリング情報をMIB送信部１８０７にそれぞれ出力する。
【００１５】
MIB送信部１８０７は、MIB生成部１８０２から出力されたMIBを、スケジューリング部１８０６から出力されたスケジューリング情報に従って送信する。MBMS SB送信部１８０８は、MBMS SB生成部１８０４から出力されたMBMS SBを、スケジューリング部１８０６から出力されたスケジューリング情報に従って送信する。MBMS制御情報送信部１８０９は、MBMS制御情報生成部１８０５から出力されたMBMS制御情報を、スケジューリング部１８０６から出力されたスケジューリング情報に従って送信する。
【００１６】
次に、本発明の背景技術に係る端末１９００の構成について、図１９のブロック図を用いて説明する。
【００１７】
受信部１９０１は、基地局から送信された信号を受信し、受信した信号のうちMIBをMIB受信部１９０２に、MBMS SBをMBMS SB受信部１９０３に、MBMS制御情報をMBMS制御情報受信部１９０４に、それぞれ出力する。
【００１８】
MIB受信部１９０２は、受信部１９０１から出力されたMIBを受信し、MBMS SBのスケジューリング情報等をMBMS SB関連情報取得部１９０５に出力する。
【００１９】
MBMS SB受信部１９０３は、受信部１９０１から出力されたMBMS SBを受信し、MBMS制御情報のスケジューリング情報等をMBMS制御情報関連情報取得部１９０６に出力する。
【００２０】
MBMS制御情報受信部１９０４は、受信部１９０１から出力されたMBMS制御情報を受信する。
【００２１】
MBMS SB関連情報取得部１９０５は、MIB受信部１９０２から出力されたMBMS SB関連情報から、MBMS SBのスケジューリング情報をスケジューリング情報処理部１９０７に出力する。
【００２２】
MBMS制御情報関連情報取得部１９０６は、MBMS SB受信部１９０３から出力されたMBMS制御情報関連情報から、MBMS制御情報のスケジューリング情報をスケジューリング情報処理部１９０７に出力する。
【００２３】
スケジューリング情報処理部１９０７は、MBMS SB関連情報取得部１９０５から出力されたMBMSSBのスケジューリング情報、及びMBMS制御情報関連情報取得部１９０６から出力されたMBMS制御情報のスケジューリング情報に基づいて、端末の受信スケジュールを決定する。決定された受信スケジュールは、受信部１９０１に出力される。
【先行技術文献】
【非特許文献】
【００２４】
【非特許文献１】3rd Generation Partnership Project, 3GPP TS 25.331 V7.4.0(3rd Generation Partnership Project;Technical Specification Group Radio AccessNetwork;Radio Resource Control(RRC);Protocol Specification(Release 7)),2007年4月,インターネット<URL: http://www.3gpp.org>
【発明の概要】
【発明が解決しようとする課題】
【００２５】
しかし、上記従来技術では、MBMS制御情報を取得するために必要な情報であるMBMS SBをSFNコンバイニングできないという課題がある。
【００２６】
また、アイドル状態(idle mode)の端末が、セルの移動に伴って利用する基地局を切り替える（セルリセレクション、セル再選択、cell reselection)際、前のセルで受けていたサービスが移動先のセルでは提供されていない可能性がある。端末がセル内で提供されているサービスを知るには、MBMS SBを受信しなければならない。しかし、端末は現在のセルにいて隣接セルのMIBまでしか受信することができず、それ以上の情報を受信するには、サブフレームのどの位置に誰宛ての情報が入っているかを示したL1/L2シグナリングチャネル(L1/L2 signalling channel)を取得しなければならない。しかし、隣接セルのL1/L2シグナリングチャネルを受信して、現在受信しているサービスが隣接セルでも継続して受信できるかをセルリセレクション前に知るには、端末の動作が複雑になるので、非効率という問題がある。
【００２７】
本発明の目的は、端末がセル移動前に隣接セルのサービス状況を効率的に取得する無線通信基地局装置、無線通信端末装置、無線送信及び受信方法を提供することである。
【課題を解決するための手段】
【００２８】
本発明は、１以上のセルから構成されるサービスエリア内で１以上の移動端末に放送サービス又はマルチキャストサービスを提供するための無線送信手段と、前記サービスエリアは１以上のサブエリアに分割され、前記サブエリアにはサブエリア識別子が付与されており、スケジューリングブロックのスケジューリング情報と自セルが属するサブエリアのサブエリア識別子を含むマスター情報ブロックを送信するマスター情報ブロック送信手段と、前記放送サービス又はマルチキャストサービスが提供されるサブエリアの識別子を含む前記スケジューリングブロックを送信するスケジューリングブロック送信手段と、を具備する無線送信装置を提供する。
【発明の効果】
【００２９】
本発明に係る無線通信基地局装置、無線通信端末装置、無線送信及び受信方法によれば、セル移動前に隣接セルのサービス状況を効率的に取得することで、セル移動後にサービスが継続できなくなる危険性を回避する助けとなる。
【００３０】
さらに、MBMSサービスを受けるための制御情報やスケジューリング情報を出来る限りSFNコンバイニングできるように送信することができるので、端末の受信効率が向上する。
【図面の簡単な説明】
【００３１】
【図１】本発明の実施の形態１に係る基地局装置の構成を示すブロック図
【図２】本発明の実施の形態１に係る端末装置の構成を示すブロック図
【図３】本発明の実施の形態１に係るネットワークの構成図
【図４】本発明の実施の形態１に係るMBMSサービスエリア及びMBMSサブエリアの配置例を示した図
【図５】本発明の実施の形態１に係るMIBとMBMS SBのメッセージ構成図
【図６】本発明の実施の形態１に係る端末装置におけるMBMS関連情報の受信手順を示した図
【図７】本発明の実施の形態１に係る端末装置におけるMBMS制御情報受信までの動作を示したフローチャート
【図８】本発明の実施の形態１に係る端末装置における隣接セルのMBMSサブエリアID判定の動作を示したフローチャート
【図９】本発明の実施の形態２に係る端末装置の構成を示すブロック図
【図１０】本発明の実施の形態３に係る隣接MBMSサブエリア情報のメッセージ構成図
【図１１】本発明の実施の形態３に係る端末装置におけるMBMS関連情報の受信手順を示した図
【図１２】本発明の実施の形態３に係る基地局装置の構成を示すブロック図
【図１３】本発明の実施の形態３に係る端末装置の構成を示すブロック図
【図１４】本発明の実施の形態４に係るカウンティング時の基地局装置と端末装置のシグナリングフローを説明するための図
【図１５】従来技術に係るMBMSサービスエリアの配置例を示した図
【図１６】従来技術に係る端末装置のMBMS関連情報の受信手順を示した図
【図１７】従来技術に係るMIBとMBMS SBのメッセージ構成図
【図１８】従来技術に係る基地局装置の構成を示すブロック図
【図１９】従来技術に係る端末装置の構成を示すブロック図
【図２０】本発明の実施の形態５に係るマクロセルと屋内エリアのエリア概念図
【図２１】本発明の実施の形態５に係る屋内基地局装置の構成を示すブロック図
【図２２】本発明の実施の形態５に係る端末装置の構成を示すブロック図
【図２３】本発明の実施の形態５に係る屋内基地局装置と端末装置のシーケンス図
【図２４】本発明の実施の形態５に係る端末装置における、屋内エリアでMBMSデータを受信するまでの動作を示したフローチャート
【図２５】本発明の実施の形態６に係る端末装置の構成を示すブロック図
【発明を実施するための形態】
【００３２】
以下、本発明の実施の形態について、図面を参照して詳細に説明する。ただし、実施の形態において、同一の機能を有する構成には同一符号を付し、重複する説明は省略する。
【００３３】
以下の実施の形態においては、第三世代移動通信システム、３．５世代移動通信システム、特に、３．９世代移動通信システム（3GPP LTE(Long Term Evolution）等）のシステムに基づいて説明するが、本発明はこれらのシステムに限定されるものではなく、第四世代移動通信システム（IMT-Advanced等）、無線ＬＡＮ等のいかなる移動通信システムにも適用可能である。
【００３４】
（実施の形態１）
図３は、本実施の形態１に係るネットワークの構成を示す図である。図３に示すネットワークは、端末装置(User Equipment, UE)３０１、無線基地局装置(Evolved NodeB, eNB)３０２、MBMS制御装置(MBMS Control Entity, MCE)３０３、及びコアネットワーク(Evolved Packet Core, EPC)３０４から構成される。
【００３５】
無線基地局装置３０２は、無線資源の割り当て及び管理を行い、UE３０１のための無線アクセスネットワークのアクセスポイントの役割を担当する。アップリンクを介してUE３０１から転送される情報を受信し、ダウンリンクを介してUE３０１にデータを転送する。
【００３６】
MCE３０３は複数の無線基地局装置３０２を管理し、MBMSサービスに対する物理リソースブロックの割り当てを行う。EPC３０４は、移動通信ネットワークの基幹部分であり、MBMSコンテンツの配信や、MBMSデータ及びセッションの制御等を行う。
【００３７】
本実施の形態１では、MBMSサービスエリアを複数のエリアに分割することで、MBMS SBをSFNコンバイニングできるように送信することを可能にする。
【００３８】
図４は、本発明の実施の形態１に係るMBMSデータ送信のエリア構成を示した図である。
【００３９】
図４に示すように、SFNコンバイニングを行う最小単位として1以上のセルから構成されるMBMSサブエリア(MBMS sub area)を定義し、MBMSサービスエリアをMBMSサブエリア単位で構成する。MBMSサブエリアは複数のMBMSサービスエリアに属することが出来る。これによって、MBMS SB をMBMSサブエリア単位でSFNコンバイニングできるように送信することが可能になる。
【００４０】
図５は、本発明の実施の形態１に係るMIBとMBMS SBのメッセージ構成を示した図である。図５に示すように、MIB５０１によって、MBMS SBのスケジューリング情報等に加え、MBMSサブエリアIDを通知する。MBMS SB５０２によってMBMSサービスＩＤやMBMS制御情報のスケジューリング情報等に加え、サービスエリアを構成するMBMSサブエリアIDのリストを通知する。MBMS SB５０２は、サブエリア内で共通となるように構成したので、MBMSサブエリア内でSFNコンバイニングできるように送信する可能である。端末装置は、MIB５０１とMBMS SB５０２を受信すると、自分のいるMBMSサブエリアIDとMBMSサービスエリアID、及び同じMBMSサービスエリアに含まれるMBMSサブエリアIDを取得する。
【００４１】
本実施の形態１における、端末装置がMBMS関連情報を受信する流れを図６を用いて説明する。端末装置は、端末装置が属するセルである、自セル（サービングセル、serving cell）のMIBを報知チャネル(BCH)を介して受信して自セルのMBMSサブエリアIDを取得し、次にMBMS SBを下り共有チャネル(DL-SCH)を介して受信して、自セルの所属するMBMSサブエリアで配信されているMBMSサービスと、同じMBMSサービスを配信している他のMBMSサブエリアの情報を取得する。この時、MBMS SBはMBMSサブエリアでSFNコンバイニングされる。続いてNotificationからMBMS RB InformationまでのMBMS制御情報を、MBMSポイント・ツー・マルチポイント制御チャネル(MCCH)を介して受信する。以上の受信した情報に基づいて、MBMSコンテンツをMBMSポイント・ツー・マルチポイントトラヒックチャネル(MTCH)を介して受信する。
【００４２】
ここで、端末装置がセルリセレクション前に隣接セルのMIBを報知チャネルを介して受信、もしくはセルリセレクション後に移動先のセルのMIBを受信した場合、移動前のセルと移動先のセルのMIBに含まれるMBMSサブエリアIDを比較して、MBMS SBを新たに受信する必要の有無を判断できる。また、端末装置は、隣接セルのMIBを受信することで、隣接セルが属しているMBMSサブエリアのIDを取得できるので、あらかじめ取得したMBMS SBの情報と照らし合わせて、隣接セルで提供されているMBMSサービスを知ることができる。
【００４３】
以下、本発明の実施の形態１に係る基地局装置１００（eNode B）の構成について、図１のブロック図を用いて説明する。
【００４４】
報知情報記憶部１０１は、MBMSスケジューリングブロックのスケジューリング情報、物理レイヤパラメータ等のMIBに関連する情報を記憶し、記憶したMIB関連情報をMIB生成部１０２に出力する。
【００４５】
MBMS関連情報記憶部１０３は、MBMSサービスエリアID、MBMSサービスID、MBMS制御情報関連情報等のMBMSに関連する情報を記憶し、記憶したMBMSサービスエリアID、MBMSサービスID等の情報をMBMS SB生成部１０４に、MBMS制御情報関連情報等をMBMS制御情報生成部１０５に出力する。また、MBMS制御情報のデータサイズ等の情報を、スケジューリング部１０６に出力する。
【００４６】
サブエリアID記憶部１０７は、MBMSサブエリアID、MBMSサービスエリアID、及び各MBMSサービスエリアに対応するMBMSサブエリアの情報を記憶している。記憶した情報のうち、自分のセルが属しているMBMSサブエリアIDはMIB生成部１０２に、自分のセルが属しているMBMSサービスエリアID及び対応するMBMSサブエリアIDはMBMS SB生成部１０４にそれぞれ出力する。
【００４７】
MBMS制御情報生成部１０５は、MBMS関連情報記憶部１０３から出力されたMBMS制御情報関連情報に基づいて、通知情報（Notification）、アクセス情報（Access Information）等のMBMS制御情報を生成し、生成したMBMS制御情報をMBMS制御情報送信部１１０に出力する。
【００４８】
MBMS SB生成部１０４は、MBMS関連情報記憶部１０３から出力されたMBMS関連情報と、エリアIDデータベース部から出力されたMBMSサービスエリアID及び対応するMBMSサブエリアIDと、スケジューリング部１０６から出力されたMBMS制御情報のスケジューリング情報に基づいてMBMS SBを生成し、生成したMBMS SBをMBMS SB送信部１０９に出力する。ここで生成したMBMS SBは、MBMSサービスエリアごとのすべてのMBMSサブエリアIDを含む。
【００４９】
MIB生成部１０２は、報知情報記憶部１０１から出力されたMIB関連情報と、サブエリアID記憶部１０７から出力されたMBMSサービスエリアIDと、スケジュールリング部１０６から出力されたMBMS SBのスケジューリング情報に基づいてMIBを生成し、生成したMIBをMIB送信部１０８に出力する。ここで生成したMIBはMBMSサブエリアIDを含む。
【００５０】
スケジューリング部１０６は、MBMS関連情報記憶部１０３から出力されたMBMS制御情報のデータサイズ等の情報を取得し、これらに基づいてMBMS制御情報のスケジューリング情報を決定する。決定されたMBMS制御情報のスケジューリング情報は、MBMS SB生成部１０４に出力される。また、MBMS制御情報のスケジューリング情報をMBMS SB生成部１０４とMBMS制御情報送信部１１０に、MBMS SBのスケジューリング情報をMIB生成部１０２とMBMS SB送信部１０９に、MIBのスケジューリング情報をMIB送信部１０８にそれぞれ出力する。
【００５１】
MIB送信部１０８は、MIB生成部１０２から出力されたMIBを、スケジューリング部１０６から出力されたスケジューリング情報に従って送信する。MBMS SB送信部１０９は、MBMS SB生成部１０４から出力されたMBMS SBを、スケジューリング部１０６から出力されたスケジューリング情報に従って送信する。MBMS制御情報送信部１１０は、MBMS制御情報生成部１０５から出力されたMBMS制御情報を、スケジューリング部１０６から出力されたスケジューリング情報に従って、アンテナ１１１を介して送信する。
【００５２】
また、基地局装置１００は、ＭＢＭＳデータを生成するブロードキャスト・マルチキャストサービスセンター（BMSC,Broadcast Multicast Service Center）からネットワークを介してＭＢＭＳデータを受信する。さらに、基地局装置１００は、ネットワークを介して受信したＭＢＭＳデータを、図示しないＭＢＭＳデータ送信部からＭＴＣＨを介して１以上の端末装置に送信する。
【００５３】
次に、本発明の実施の形態１に係る端末装置２００(UE)の構成について、図２のブロック図を用いて説明する。
【００５４】
受信部２０１は、基地局装置から送信された信号をアンテナ２０９を介して受信し、受信した信号のうちMIBをMIB受信部２０２に、MBMS SBをMBMS SB受信部２０３に、MBMS制御情報をMBMS制御情報受信部２０４に、それぞれ出力する。
【００５５】
MIB受信部２０２は、受信部２０１から出力されたMIBを受信し、MBMS SBのスケジューリング情報等をMBMS SB関連情報取得部２０５に出力する。また、MBMSサブエリアIDを抽出し、MBMSサブエリア判定部２０８に出力する。
【００５６】
MBMS SB受信部２０３は、受信部２０１から出力されたMBMS SBを受信し、MBMS制御情報のスケジューリング情報等をMBMS制御情報関連情報取得部２０６に出力する。また、MBMSサービスエリアごとに含まれるMBMSサブエリアIDを抽出し、MBMS サブエリア判定部２０８に出力する。
【００５７】
MBMS SB関連情報取得部２０５は、MIB受信部２０２から出力されたMBMS SB関連情報から、MBMS SBのスケジューリング情報をスケジューリング情報処理部２０７に出力する。
【００５８】
MBMS制御情報関連情報取得部２０６は、MBMS SB受信部２０３から出力されたMBMS制御情報関連情報から、MBMS制御情報のスケジューリング情報をスケジューリング情報処理部２０７に出力する。
【００５９】
スケジューリング情報処理部２０７は、MBMS SB関連情報取得部２０５から出力されたMBMS SBのスケジューリング情報、及びMBMS制御情報関連情報取得部２０６から出力されたMBMS制御情報のスケジューリング情報に基づいて、端末装置の受信スケジュールを決定する。決定された受信スケジュールは、受信部２０１に出力される。
【００６０】
MBMSサブエリア判定部２０８は、MIB受信部２０２から出力された隣接セルのMBMSサブエリアIDと、MBMS SB受信部２０３から出力されたMBMSサービスエリアごとのMBMSサブエリアIDを比較し、現在受信しているMBMSサービスを提供しているMBMSサービスエリアに、隣接セルのMBMSサブエリアが含まれているかどうかを判定する。
【００６１】
図７は、本発明の実施の形態１に係る端末装置２００における、MBMS制御情報受信までの動作を示したフローチャートである。以下、図２及び図７を用いて、端末装置２００のMBMS制御情報受信動作について説明する。以下の記載及び図面において、ステップを「ＳＴ」と省略して記載する。
【００６２】
ST711では、受信部２０１で受信した自セル（サービングセル、serving cell）のMIBを、MIB受信部２０２に出力する。ST712では、MIB受信部２０２でMIBに含まれるMBMSサブエリアIDを抽出し、保管する。ST713では、MBMS SB関連情報取得部２０５で、MIB受信部２０２から出力されたMIBに含まれる情報のうち、MBMS SB関連情報を抽出する。MBMS SB関連情報取得部２０５で抽出されたMBMS SB関連情報のうち、MBMS SBのスケジューリング情報をスケジューリング情報処理部２０７に出力する。
【００６３】
ST714では、スケジューリング情報処理部２０７からの指示に従って、受信部２０１で受信したMBMS SBを、MBMS SB受信部２０３に出力する。ST715では、MBMS SB受信部２０３でMBMS SBに含まれるMBMSサービスエリアごとのMBMSサブエリアIDを抽出し、保管する。ST716では、MBMS制御情報関連情報取得部２０６で、MBMS SB受信部から出力されたMBMS SBに含まれる情報のうち、MBMS制御情報関連情報を抽出する。MBMS制御情報関連情報取得部２０６で抽出されたMBMS制御情報関連情報のうち、MBMS制御情報のスケジューリング情報をスケジューリング情報処理部２０７に出力する。ST717では、スケジューリング情報処理部２０７からの指示に従って、受信部２０１で受信したMBMS制御情報を、MBMS制御情報受信部２０４に出力する。
【００６４】
図８は、本発明の実施の形態１に係る端末装置２００における、隣接セルのMBMSサブエリアID判定の動作を示したフローチャートである。
【００６５】
ST811では、受信部２０１で受信した隣接セルのMIBを、MIB受信部２０２に出力する。ST1812では、MIB受信部２０２でMIBに含まれるMBMSサブエリアIDを抽出し、保管する。ST813では、MIB受信部２０２で保管されていた自セルと隣接セルのMBMSサブエリアIDをそれぞれMBMSサブエリア判定部２０８に出力する。MBMSサブエリア判定部２０８では、2つのMBMSサブエリアIDを比較する。
【００６６】
MBMSサブエリア判定部２０８での判定の結果、自セルと隣接セルのMBMSサブエリアIDが同一であれば、ST814に移行し、端末装置２００は隣接セルへのセルリセレクション後に、隣接セルのMBMS SBを読み直す必要がない。
【００６７】
MBMSサブエリア判定部２０８での判定の結果、自セルと隣接セルのMBMSサブエリアIDが同一であれば、ST815に移行し、MBMS SB受信部２０３で保管されていたMBMSサービスエリアごとのMBMSサブエリアIDをMBMSサブエリア判定部２０８に出力する。MBMSサブエリア判定部２０８で、隣接セルのMBMSサブエリアIDと自セルが属しているMBMSサービスエリアに含まれるMBMSサブエリアIDを比較する。MBMSサブエリア判定部２０８の判定の結果、隣接セルのMBMSサブエリアIDが、自セルと同じMBMSサービスエリアに含まれるならば、ST816へ移行する。含まれない場合は、ST817に移行し、端末装置２００は隣接セルへのセルリセレクション後に、隣接セルのMBMS SBを読み直す。
【００６８】
ST816では、MBMSサブエリア判定部２０８で、隣接セルのMBMSサブエリアIDが、自セルで受信中のMBMSサービスを提供しているMBMSサービスエリアに含まれるかどうか判定する。含まれる場合はST818に移行し、端末装置２００はセルリセレクション後、MBMS SBを読み直す。受信中のMBMSサービスは継続して受信可能である。含まれない場合はST819に移行し、端末装置２００はセルリセレクション後、MBMS SBを読み直す。この時、自セルで受信中のMBMSサービスは、隣接セルでは提供されていない。
【００６９】
端末装置２００の図示しないＭＢＭＳデータ受信部は、ＭＢＭＳデータをＭＴＣＨを介して受信し、図示しない再生部で受信したＭＢＭＳデータを再生する。
【００７０】
以上のように、実施の形態１において、MBMSサービスエリアを構成するエリア単位としてMBMSサブエリアを定義する。基地局装置はMIBにMBMSサブエリアIDを、MBMS SBにMBMSサービスエリアに含まれるすべてのMBMSサブエリアIDを含んで送信する。端末装置は、MIBを報知チャネル(BCH)を介して受信することによって、自分のいるMBMSサブエリアIDを知り、MBMS SBを下り共有チャネル(DL-SCH)を介して受信することによって、自セルが属しているMBMSサービスエリアID及び、同じMBMSサービスエリアに含まれるMBMSサブエリアIDを知ることができる。また、隣接セルのMIBを報知チャネル(BCH)を介して受信することで、隣接セルが属しているMBMSサービスエリアを知ることができる。
【００７１】
上記構成をとることにより、下り共有チャネル(DL-SCH)を介して送信されるMBMS SBをMBMSサブエリア単位でSFNコンバイニングできるように送信することが可能になる。また、端末装置はセル移動前に隣接セルのサービス状況を把握し、現在受けているサービスがセル移動後も継続して受けられるかどうかを知ることができる。この時、MIBには１つのMBMSサブエリアIDのみ追加すればよいので、MIBの変更は最小限で済む。
【００７２】
なお、本実施の形態１では、MBMSサブエリア単位でMBMS SB がSFNコンバイニングされたが、SFNコンバイニングは、隣接セルが属しているMBMSサービスエリアを知るための必須の構成ではない。MBMS SBがSFNコンバイニングされずに、セル単位で送信される場合でも、端末装置は隣接セルのMBMSサブエリアIDを取得して、現在受信中のサービスが隣接セルでも受信できるかどうかを知ることが可能である。
【００７３】
なお、MBMSサブエリアのエッジ部分のセルでのみ、MIBにMBMSサブエリアIDを含んで送信することも考えられる。これによって、MBMSサブエリア全体でのリソース消費を低減できる。
【００７４】
また、端末装置はMIBの次にスケジューリングユニット1(Scheduling Unit 1：以下、「SU-1」という)を受信し、その次にMBMS SBを受信するという流れも考えられる。SU-1は、セルIDやアクセス制限関連のパラメータ、他のスケジューリングユニットのスケジューリング情報などを含み、ダウンリンク共有チャネル(DL-SCH, downlink shared channel)を介して送信される。この場合、MIBにはSU-1のスケジューリング情報が示され、SU-1でMBMS SBのスケジューリング情報が示されるという構成になる。これによって、MIBで送る情報を最低限にし、MIBのメッセージサイズをさらに削減することができる。
【００７５】
また、MBMSサブエリアをトラッキングエリア(Tracking area)と同一のエリアとして運用することも考えられる。これによって、MBMSサブエリア用に新たにIDを追加する必要がなく、トラッキングエリアのIDを共用できる。
【００７６】
なお、本実施の形態１では、基地局装置がMBMS SBを生成したが、これに限るものではなく、MCE等の無線制御装置がMBMS SBを生成し、基地局装置に送信してもよい。このような構成によって、基地局装置で個別にMBMS SBを生成する必要がないという効果がある。
【００７７】
本実施の形態１に係る発明は、１以上のセルから構成されるサービスエリア内で１以上の移動端末に放送サービス又はマルチキャストサービスを提供するための無線送信手段と、前記サービスエリアは１以上のサブエリアに分割され、前記サブエリアにはサブエリア識別子が付与されており、スケジューリングブロックのスケジューリング情報と自セルが属するサブエリアのサブエリア識別子を含むマスター情報ブロックを送信するマスター情報ブロック送信手段と、前記放送サービス又はマルチキャストサービスが提供されるサブエリアの識別子を含む前記スケジューリングブロックを送信するスケジューリングブロック送信手段と、を具備する無線送信装置を提供する。
【００７８】
上記無線送信装置は、自セルが属しているサービスエリアID及び、同じサービスエリアに含まれるサブエリアIDを無線受信端末に通知することができる。さらに、スケジューリングブロックをサブエリア単位でSFNコンバイニングできるように送信でき、無線受信装置がセル移動前に隣接セルのサービス状況を把握し、現在受けているサービスがセル移動後も継続して受けられるかどうかを把握することができる。
【００７９】
上記無線送信装置では、さらに、スケジューリングブロックは、前記放送サービス又はマルチキャストサービスが提供されるサブエリアの内、前記自セルが属するサブエリアと隣接するサブエリアのサブエリア識別子を含む構成を採る。
【００８０】
上記無線送信装置では、自セルが属しているサービスエリアID及び、同じサービスエリアに含まれるサブエリアIDを知ることができる。また、隣接セルが属しているサービスエリアを知ることができる。さらに、特に１つのサービスエリアに含まれるサブエリアの数が多い場合、スケジューリングブロックのメッセージサイズを削減することができる。
【００８１】
本実施の形態１に係る発明は、１以上のセルから構成されるサービスエリア内で１以上の移動端末に放送サービス又はマルチキャストサービスを提供するための無線送信ステップと、前記サービスエリアは１以上のサブエリアに分割され、前記サブエリアにはサブエリア識別子が付与されており、スケジューリングブロックのスケジューリング情報と自セルが属するサブエリアのサブエリア識別子を含むマスター情報ブロックを送信するマスター情報ブロック送信ステップと、前記放送サービス又はマルチキャストサービスが提供されるサブエリアの識別子を含む前記スケジューリングブロックを送信するスケジューリングブロック送信ステップと、を具備する無線送信方法を提供する。
【００８２】
上記無線送信方法は、自セルが属しているサービスエリアID及び、同じサービスエリアに含まれるサブエリアIDを無線受信端末に通知することができる。さらに、スケジューリングブロックをサブエリア単位でSFNコンバイニングできるように送信でき、無線受信方法がセル移動前に隣接セルのサービス状況を把握し、現在受けているサービスがセル移動後も継続して受けられるかどうかを把握することができる。
【００８３】
本実施の形態１に係る発明は、さらに、スケジューリングブロックは、前記放送サービス又はマルチキャストサービスが提供されるサブエリアの内、前記自セルが属するサブエリアと隣接するサブエリアのサブエリア識別子を含む構成を採る無線送信方法を提供する。
【００８４】
上記無線送信方法は、自セルが属しているサービスエリアID及び、同じサービスエリアに含まれるサブエリアIDを知ることができる。また、隣接セルが属しているサービスエリアを知ることができる。さらに、特に１つのサービスエリアに含まれるサブエリアの数が多い場合、スケジューリングブロックのメッセージサイズを削減することができる。
【００８５】
（実施の形態２）
以下、本発明の実施の形態２に係る端末装置９００の構成について、図９のブロック図を用いて説明する。
【００８６】
ここで、端末装置９００はセルリセレクションを行う前に、自セルの属しているMBMSサブエリアと移動先の隣接セルの属しているMBMSサブエリアを比較するものとする。MBMSサブエリア判定部９０１では、MIB受信部２０２から出力された隣接セルのMIBに含まれるMBMSサブエリアIDと、自セルのMIBに含まれるMBMSサブエリアID、及びMBMS SBに含まれるMBMSサービスエリアごとのMBMSサブエリアIDを比較し、その結果をセル移動制御部９０２に出力する。
【００８７】
セル移動制御部９０２では、MBMSサブエリア判定部９０１からの出力結果に従って、端末装置のセル移動を制御する。ここで、自セルと隣接セルのMBMSサブエリアIDが同一であれば、セル移動制御部９０２はセルリセレクションを続行する。隣接セルのMBMSサブエリアIDが、受信中のMBMSサービスを提供しているMBMSサービスエリアに含まれる場合、セル移動制御部９０２はセルリセレクションを続行する。隣接セルのMBMSサブエリアIDが、受信中のMBMSサービスを提供しているMBMSサービスエリアに含まれない場合、または、自セルと同じMBMSサービスエリアに含まれない場合、セル移動制御部９０２は、セルリセレクションを抑制する、すなわち、セルリセレクションをせずに出来る限り今のセルに留まるように、隣接セルに切り替えず、自セルからの信号を受信し続けるように端末装置９００に指示する。セルリセレクションを中止することが出来ない場合、セル移動後に現在受信中のサービスが継続できなくなることを画面に表示する、警告音を発する、または端末装置が振動する、などして、ユーザに対し警告する。
【００８８】
以上のように、実施の形態２において、端末装置がセルリセレクションを行う際に、自セルと隣接セルのMBMSサブエリアIDを比較し、その結果に応じた制御を行う。
【００８９】
上記構成をとることにより、端末装置は現在受信中のサービスがセル移動後も継続して受信できる場合はセルリセレクションを行うが、現在受信中のサービスがセル移動後に受信できなくなる場合には、出来る限りセルリセレクションを行わないように、セルリセレクションを決定する自セルと隣接セルの受信品質の測定値の差分を大きく設定する。また、ユーザに対し警告を出すといった処置を行うことができる。
【００９０】
なお、本実施の形態２では、MBMSサブエリア単位でMBMS SB がSFNコンバイニングされたが、SFNコンバイニングは、隣接セルが属しているMBMSサービスエリアを知るための必須の構成ではない。MBMS SBがSFNコンバイニングされずに、セル単位で送信される場合でも、端末装置は隣接セルのMBMSサブエリアIDを取得して、現在受信中のサービスが隣接セルでも受信できるかどうかを知ることが可能である。
【００９１】
本実施の形態２に係る発明は、１以上のセルから構成されるサービスエリア内で１以上の移動端末に提供される放送サービス又はマルチキャストサービスを受信するための無線受信ステップと、前記サービスエリアは１以上のサブエリアに分割され、前記サブエリアにはサブエリア識別子が付与されており、スケジューリングブロックのスケジューリング情報と自セルが属するサブエリアのサブエリア識別子を含むマスター情報ブロックを受信するマスター情報ブロック受信ステップと、前記放送サービス又はマルチキャストサービスが提供されるサブエリアの識別子を含む前記スケジューリングブロックを受信するスケジューリングブロック受信ステップと、を具備する無線受信方法を提供する。
【００９２】
上記無線受信方法は、セル移動前に隣接セルのサービス状況を把握し、現在受けているサービスがセル移動後も継続して受けられるかどうかを知ることができる。
【００９３】
本実施の形態２に係る発明は、さらに、受信した隣接セルマスター情報ブロックからサブエリア識別子を抽出して記憶するセルサブエリア識別子記憶ステップと、前記隣接セルサブエリア識別子が前記スケジューリングブロックに含まれるかどうか判定する判定ステップと、を具備する無線受信方法を提供する。
【００９４】
上記無線受信方法は、セルリセレクションの際、隣接セルに切り替えず、自セルからの信号を受信し続けるようにすることができる。セルリセレクションを中止することが出来ない場合、セル移動後に現在受信中のサービスが継続できなくなることをユーザに対し警告することができる。
【００９５】
本実施の形態２に係る発明は、以上のセルから構成されるサービスエリア内で１以上の移動端末に提供される放送サービス又はマルチキャストサービスを受信するための無線受信ステップと、前記サービスエリアは１以上のサブエリアに分割され、前記サブエリアにはサブエリア識別子が付与されており、スケジューリングブロックのスケジューリング情報と自セルが属するサブエリアのサブエリア識別子を含むマスター情報ブロックを受信するマスター情報ブロック受信ステップと、前記放送サービス又はマルチキャストサービスが提供されるサブエリアの識別子を含む前記スケジューリングブロックを受信するスケジューリングブロック受信ステップと、を具備する無線受信方法を提供する。
【００９６】
上記無線受信方法は、無線受信方法はセル移動前に隣接セルのサービス状況を把握し、現在受けているサービスがセル移動後も継続して受けられるかどうかを知ることができる。
【００９７】
本実施の形態２に係る発明は、さらに、受信した隣接セルマスター情報ブロックからサブエリア識別子を抽出して記憶するセルサブエリア識別子記憶ステップと、前記隣接セルサブエリア識別子が前記スケジューリングブロックに含まれるかどうか判定する判定ステップと、を具備する無線受信方法を提供する。
【００９８】
上記無線受信方法は、セルリセレクションの際、隣接セルに切り替えず、自セルからの信号を受信し続けるようにすることができる。セルリセレクションを中止することが出来ない場合、セル移動後に現在受信中のサービスが継続できなくなることをユーザに対し警告することができる。
【００９９】
（実施の形態３）
本発明の実施の形態３は、実施の形態１において、MBMSサービスエリアに含まれるすべてのMBMSサブエリアIDを通知するのではなく、隣接しているMBMSサブエリアIDのみを通知する方法について説明する。同じMBMSサービスエリアに含まれるMBMSサブエリアの通知方法として、MBMS制御情報のひとつとして隣接MBMSサブエリア情報(Neighbour MBMS sub area Information)を生成し、これによって通知する方法がある。隣接MBMSサブエリア情報のメッセージ構成を図１０に示す。隣接MBMSサブエリア情報１００１で通知する場合は、図１０のように、隣接するMBMSサブエリアのIDと、各MBMSサブエリアで提供されているMBMSサービスIDを通知する。
【０１００】
図１１は、本実施の形態３において、端末装置がMBMS関連情報を受信する流れを示した図である。端末装置は下り共有チャネル(DL-SCH)を介して受信したMBMS SBによって、隣接MBMSサブエリア情報のスケジューリング情報を取得する。端末装置は、取得したスケジューリング情報に従って、隣接MBMSサブエリア情報を、MBMSポイント・ツー・マルチポイント制御チャネル(MCCH)を介して受信する。この時、隣接MBMSサブエリア情報はMBMSサブエリアでSFNコンバイニングされる。
【０１０１】
以下、本発明の実施の形態３に係る基地局装置１２００の構成について、図１２のブロック図を用いて説明する。
【０１０２】
MBMS関連情報記憶部１０３は、MBMSサービスエリアID、MBMSサービスID、MBMS制御情報関連情報等のMBMSに関連する情報を記憶し、記憶したMBMSサービスエリアID、MBMSサービスID等の情報をMBMS SB生成部１２０２に、MBMS制御情報関連情報等をMBMS制御情報生成部１２０３に出力する。また、MBMS制御情報の種別等の情報を、スケジューリング部１０６に出力する。
【０１０３】
MBMS SB生成部１２０２は、MBMS関連情報記憶部１０３から出力されたMBMS関連情報と、スケジューリング部１０６から出力されたMBMS制御情報のスケジューリング情報に基づいてMBMS SBを生成し、生成したMBMS SBをMBMS SB送信部１０９に出力する。ここで生成したMBMS SBには、MBMSサービスエリアごとのMBMSサブエリアIDを含めない。
【０１０４】
MBMS制御情報生成部１２０３は、MBMS関連情報記憶部１０３から出力されたMBMS制御情報関連情報に基づいてMBMS制御情報を生成し、生成したMBMS制御情報をMBMS制御情報送信部１１０に出力する。ここで、隣接するMBMSサブエリアIDと、各MBMSサブエリアで提供されているMBMSサービスIDを含む隣接MBMSサブエリア情報が生成される。
【０１０５】
MIB送信部１０８は、MIB生成部１０２から出力されたMIBを、MBMS SB送信部１０９は、MBMS SB生成部１２０２から出力されたMBMS SBを、MBMS制御情報送信部１１０は、MBMS制御情報生成部１２０３から出力されたMBMS制御情報を、スケジューリング部１０６から出力されたスケジューリング情報に従って送信する。
【０１０６】
次に、本発明の実施の形態３に係る端末装置１３００の構成について、図１３のブロック図を用いて説明する。
【０１０７】
MBMS制御情報受信部２０４は、受信部２０１から出力されたMBMS制御情報を受信し、受信したMBMS制御情報の中から隣接MBMSサブエリア情報を抽出し、隣接MBMSサブエリア情報取得部１３０１に出力する。
【０１０８】
隣接MBMSサブエリア情報取得部１３０１は、MBMS制御情報受信部２０４から出力された隣接MBMSサブエリア情報から、隣接するMBMSサブエリアのIDを抽出し、MBMSサブエリア判定部１３０２に出力する。
【０１０９】
MBMSサブエリア判定部１３０２は、MIB受信部２０２から出力された隣接セルのMBMSサブエリアIDと、隣接MBMSサブエリア情報取得部１３０１から出力された、隣接MBMSサブエリアのIDとを比較し、現在受信しているMBMSサービスを提供しているMBMSサービスエリアに、隣接セルのMBMSサブエリアが含まれているかどうかを判定する。
【０１１０】
以上のように、実施の形態３において、基地局装置は隣接MBMSサブエリア情報によって、同じMBMSサービスを提供している隣接MBMSサブエリアを通知する。MBMSサブエリアは複数のセルによって構成されたエリアなので、端末装置の移動速度を考えて、隣接MBMSサブエリア情報を取得するより前に、隣接MBMSサブエリアを通り過ぎて、隣接MBMSサブエリアのさらに先のMBMSサブエリアまで移動することはないと考えられる。従って、端末装置はMBMSサービスエリア全体に含まれるMBMSサブエリアの情報を知る必要はなく、隣接しているMBMSサブエリアで提供されているMBMSサービスがわかれば問題はないといえる。
【０１１１】
上記構成をとることにより、特に１つのMBMSサービスエリアに含まれるMBMSサブエリアの数が多い場合、MBMS SBのメッセージサイズを削減することができる。
【０１１２】
なお、隣接MBMSサブエリア情報を用いずに、MBMS SBによって隣接MBMSサブエリアで配信されているMBMSサービスを通知することも考えられる。この場合は、MBMSサービスエリアごとに含まれるMBMSサブエリアの中から、隣接するMBMSサブエリアのIDのみを通知する。
【０１１３】
なお、MBMSサブエリアのエッジ部分のセルでのみ、隣接サブエリア情報を送信することも考えられる。これによって、MBMSサブエリア全体でのリソース消費を低減できる。
【０１１４】
本実施の形態３に係る発明は、１以上のセルから構成されるサービスエリア内で１以上の移動端末に放送サービス又はマルチキャストサービスを提供するための無線送信手段と、前記サービスエリアは１以上のサブエリアに分割され、前記サブエリアにはサブエリア識別子が付与されており、スケジューリングブロックのスケジューリング情報と自セルが属するサブエリアのサブエリア識別子を含むマスター情報ブロックを送信するマスター情報ブロック送信手段と、前記放送サービス又はマルチキャストサービスが提供されるサブエリアの識別子を含む前記スケジューリングブロックを送信するスケジューリングブロック送信手段と、制御情報を送信する制御情報送信手段を有する構成を採り、前記制御情報は、前記放送サービス又はマルチキャストサービスが提供されるサブエリアの内、前記自セルが属するサブエリアと隣接するサブエリアのサブエリア識別子と、前記サブエリアにおいて提供されるサービスを識別するサービス識別子とを含む無線送信装置を提供する。
【０１１５】
上記無線送信装置は、自セルが属しているサービスエリアID及び、同じサービスエリアに含まれるサブエリアIDを知ることができる。また、隣接セルが属しているサービスエリアを知ることができる。さらに、特に１つのサービスエリアに含まれるサブエリアの数が多い場合、スケジューリングブロックのメッセージサイズを削減することができる。
【０１１６】
本実施の形態３に係る発明は、１以上のセルから構成されるサービスエリア内で１以上の移動端末に放送サービス又はマルチキャストサービスを提供するための無線送信ステップと、前記サービスエリアは１以上のサブエリアに分割され、前記サブエリアにはサブエリア識別子が付与されており、スケジューリングブロックのスケジューリング情報と自セルが属するサブエリアのサブエリア識別子を含むマスター情報ブロックを送信するマスター情報ブロック送信ステップと、前記放送サービス又はマルチキャストサービスが提供されるサブエリアの識別子を含む前記スケジューリングブロックを送信するスケジューリングブロック送信ステップと、制御情報を送信する制御情報送信ステップを有する構成を採り、前記制御情報は、前記放送サービス又はマルチキャストサービスが提供されるサブエリアの内、前記自セルが属するサブエリアと隣接するサブエリアのサブエリア識別子と、前記サブエリアにおいて提供されるサービスを識別するサービス識別子とを含むことを特徴とする無線送信方法を提供する。
【０１１７】
上記無線送信方法は、自セルが属しているサービスエリアID及び、同じサービスエリアに含まれるサブエリアIDを知ることができる。また、隣接セルが属しているサービスエリアを知ることができる。さらに、特に１つのサービスエリアに含まれるサブエリアの数が多い場合、スケジューリングブロックのメッセージサイズを削減することができる。
【０１１８】
（実施の形態４）
本発明の実施の形態４では、エリア内のユーザの有無を確認するために基地局装置(eNB)が行うカウンティングの結果によって、該当するMBMSサービスを受信したがっているユーザのいないMBMSサブエリアへのMBMSサービス配信を停止した場合、MBMS SBのみが変更されることによって、NotificationはMBMSサービスエリア単位でSFNコンバイニングできるように送信されることを可能にする。
【０１１９】
カウンティングは、基地局装置がエリア（セル、MBMSサブエリア、MBMSサービスエリア等）内でMBMSサービスを受信したがっている端末装置の有無を確認するために行う。基地局装置の図示しないカウンティングリクエスト送信部はエリア内の端末装置に対してカウンティングリクエスト（カウンティング要求、Counting Request）を送信し、カウンティングリクエストを受信した端末装置の図示しないカウンティングレスポンス送信部が、該当するMBMSサービスを受信したい場合に、基地局装置に対してカウンティングレスポンス（カウンティング応答、Counting Response）を返す。これによって、基地局装置の図示しないカウンティングレスポンス受信部がカウンティングレスポンスを受信し、図示しないカウンティング部によってエリア内でMBMSサービスを受信したがっている端末装置の有無を確認、判定する。
【０１２０】
図１４は、本発明の実施の形態４に係る、カウンティング時の基地局装置と端末装置のシグナリングフローを説明するための図である。以下、図１４を用いて、カウンティング時の基地局装置と端末装置の動作について説明する。
【０１２１】
図１４(a)に示すように、基地局装置は端末装置に通知情報(Notification)を送信することによって、カウンティングリクエストを行う。基地局装置からのカウンティングリクエストを受けた端末装置は、カウンティングが必要なMBMSサービスのID、カウンティングをいつまで行うかを示すパラメータである確率因子(probability factor)、カウンティングを行う必要のある端末装置の状態などの情報を含むアクセス情報(Access information)を受信し、端末装置の受信したいMBMSサービスがある場合には、カウンティングレスポンスを基地局装置に送信する。カウンティングレスポンスには、端末装置が今いるMBMSサブエリアのIDと、受信したいMBMSサービスのIDを含む。Access Informationは、最初MBMSサービスエリア単位でSFNコンバイニングできるように送信されるが、カウンティングレスポンスの受信数が閾値に達したMBMSサブエリアからAccess Informationの送信を止めることで、SFNコンバイニングはMBMSサブエリア単位となる。またこの時、カウンティングレスポンスの返ってこないMBMSサブエリアがある場合、そのMBMSサブエリアは該当するMBMSサービスを受けたい端末装置がいないと見なされ、MBMSサービスの配信が停止される。ここで、配信を停止したMBMSサービスについて、該当MBMSサブエリアのMBMS SBからMBMSサービスIDが削除され、現在配信されているMBMSサービス（すなわちアクティブなサービス、又は、サービスがオン状態のサービス）のMBMSサービスIDのみとなる。また、MBMSサービスの配信が停止されたことは、隣接するMBMSサブエリアにも通知される。隣接するMBMSサブエリアでは、隣接MBMSサブエリア情報に含まれる該当MBMSサブエリアの該当MBMSサービスIDが削除される。
【０１２２】
次に図１４(b)の示すように、新しく該当MBMSサブエリアに入ってきた端末装置は、まずMBMS SBを受信する。ここで、MBMS SBでは、現在MBMSサブエリアで配信されているMBMSサービスIDが通知される。次に端末装置はNotificationを受信する。NotificationはMBMSサブエリア単位でSFNコンバイニングできるように送信されており、MBMSサービスエリア内で提供されるすべてのMBMSサービスIDが通知される。端末装置はNotificationとMBMS SBを比較して、自分のいるMBMSサービスエリアで受けることのできるMBMSサービス(Notificationに示される)が、現在自分のいるMBMSサブエリア内では配信されていなかった（MBMS SBに示される）場合、基地局装置に対してサービスリクエストを送信することができる。サービスリクエストには、MBMSサブエリアIDと、リクエストしたいMBMSサービスIDが含まれる。端末装置からのサービスリクエストを受けたら、基地局装置はリクエストされたMBMSサービスの配信を再開する。
【０１２３】
以上のように、実施の形態４において、カウンティングの結果によって、該当するMBMSサービスを受信したがっているユーザのいないMBMSサブエリアへのMBMSサービス配信が停止された場合、MBMS SBでは現在配信されているMBMSサービスIDのみが通知され、NotificationではMBMSサービスエリア内で提供可能なすべてのMBMSサービスIDが通知される。
【０１２４】
上記構成をとることにより、カウンティングによって、同じMBMSサービスエリア内でMBMSサブエリアごとに配信中のMBMSサービスが変わった場合でも、NotificationがMBMSサービスエリア単位でSFNコンバイニングされることが可能となり、Notificationを効率的に通知できる。
【０１２５】
なお、カウンティングの管理及びMBMS SBのメッセージ変更は、基地局装置で行う場合だけでなく、MCEで行う場合も考えられる。これによって、MBMSサービスエリアなどの広い範囲のエリアにおける処理を一括して行うことができるようになる。
【０１２６】
（実施の形態５）
実施の形態１において、MBMSサブエリア内に、MBSFN受信が不可能な屋内エリア(屋内セル、indoorエリア、indoorセル等。以下、屋内エリアとする)がある場合に、端末装置の移動中にMBMSデータの受信が中断されてしまうことが考えられる。そこで、セル（以下、本実施の形態においてマクロセルと称する。）でMBMSデータを受信している端末装置が、屋内エリアに移っても継続してMBMSデータを受信できるように、屋内エリアではSC-PTM (Single Cell point-to-multipoint)に切り替えてMBMSデータの送信を行う必要がある。上記屋内エリアの例としては、ビルなどの建物内や地下街、トンネルや地下鉄、Closed Subscriber Group (CSG)セルなどが挙げられる。屋内エリアに設置される基地局（以下、屋内基地局とする）として、例えばビル内でのモバイルコミュニケーションシステムであるInbuilding Mobile Communication System (IMCS：登録商標)などがある。
【０１２７】
図２０は、本発明の実施の形態５に係る、マクロセルと屋内エリアのエリア概念図である。図２０において、屋内エリアは、マクロセルよりも小さいものであり、１つのマクロセルのエリア内に完全に含まれる場合と、２つ以上のマクロセルにまたがっている場合とがあるものとする。図２０において、屋内エリア内ではMBSFN受信ができないものとする。
【０１２８】
図２１は、本発明の実施の形態５に係る屋内基地局装置の構成を示すブロック図である。
MBMS関連情報記憶部２１０１は、MBMSサービスID、MBMSセッションID、MBMSデータのスケジューリング情報等のMBMSに関連する情報を記憶し、記憶したMBMSサービスID等の情報をMBMS制御情報生成部２１０２に出力する。また、MBMS関連情報記憶部２１０１は、MBMS制御情報及びMBMSデータのデータサイズ等の情報を、スケジューリング部２１０３に出力する。
【０１２９】
MBMSサブエリアID記憶部２１０４は、屋内エリアが属しているMBMSサブエリアの情報を記憶している。記憶したMBMSサブエリアIDは、MBMS制御情報生成部２１０２に出力される。
【０１３０】
MBMS制御情報生成部２１０２は、MBMS関連情報記憶部２１０１から出力されたMBMS制御情報関連情報とMBMSサブエリアID記憶部２１０４から出力されたMBMSサブエリアIDとに基づいて、MBMS制御情報を生成し、生成したMBMS制御情報をMBMS制御情報送信部２１０７に出力する。
【０１３１】
MBMSデータ記憶部２１０５は、屋内エリア内で送信可能なMBMSデータを記憶し、記憶したMBMSデータをMBMSデータ送信部２１０６に出力する。
【０１３２】
スケジューリング部２１０３は、MBMS関連情報記憶部２１０１から出力されたMBMS制御情報及びMBMSデータのデータサイズ等の情報を取得し、これらに基づいてMBMS制御情報及びMBMSデータのスケジューリング情報を決定する。決定されたMBMS制御情報及びMBMSデータのスケジューリング情報は、送信部に出力される。
【０１３３】
MBMS制御情報送信部２１０７は、MBMS制御情報生成部２１０２から出力されたMBMS制御情報を、スケジューリング部２１０３から出力されたスケジューリング情報に従って、アンテナ２１０８を介して送信する。MBMSデータ送信部２１０６は、MBMSデータ記憶部２１０５から出力されたMBMSデータを、スケジューリング部２１０３から出力されたスケジューリング情報に従って、アンテナ２１０８を介して送信する。
【０１３４】
図２２は、本発明の実施の形態５に係る端末装置の構成を示すブロック図である。
【０１３５】
受信部２２０１は、マクロセル及び屋内エリアの基地局装置から送信された信号をアンテナ２２０７を介して受信し、受信した信号のうち、MBMS制御情報をMBMS制御情報受信部２２０２に、MBMSデータをMBMSデータ受信部２２０３にそれぞれ出力する。
【０１３６】
MBMS制御情報受信部２２０２は、受信部２２０１から出力されたMBMS制御情報関連情報をMBMS制御情報記憶部２２０４に出力する。
【０１３７】
MBMS制御情報記憶部２２０４は、MBMS制御情報受信部２２０２から出力されたMBMS制御情報関連情報のうち、MBMSサブエリアIDをMBMSサブエリア判定部２２０５に、MBMS制御情報及びMBMSデータのスケジューリング情報をスケジューリング情報処理部２２０６に出力する。
【０１３８】
MBMSサブエリア判定部２２０５は、MBMS制御情報記憶部２２０４から出力されたMBMSサブエリアIDをもとに、現在受信しているMBMSサービスを提供しているMBMSサービスエリアに、隣接マクロセルのMBMSサブエリアが含まれているかどうか、屋内エリアが属しているMBMSサブエリアが、直前にいたマクロセルの属しているMBMSサブエリアと同一であるかどうかを判定する。MBMSサブエリア判定部２２０５は、判定結果を、スケジューリング情報処理部２２０６に出力する。
【０１３９】
スケジューリング情報処理部２２０６は、MBMS制御情報記憶部２２０４から出力されたMBMS制御情報及びMBMSデータのスケジューリング情報と、MBMSサブエリア判定部２２０５から出力された判定結果とに基づいて、端末装置の受信スケジュールを決定する。決定された受信スケジュールは、受信部２２０１に出力される。
【０１４０】
図２３は、本発明の実施の形態５に係る、屋内基地局装置と端末装置のシーケンス図である。また図２４は、本発明の実施の形態５に係る端末装置における、屋内エリアでMBMSデータを受信するまでの動作を示したフローチャートである。なお図２３は、屋内エリアがマクロセルと同一MBMSサブエリア内であり、屋内エリアでMBMSデータが送信されていない場合のシーケンス図を示す。
【０１４１】
端末装置は、マクロセルの基地局装置からMBMS制御情報を受信し（ST2411）、受けたいMBMSサービスがあれば、MBSFNでMBMSデータを受信する(ST2412)。
【０１４２】
端末装置が屋内エリア内に入ると、マクロセルの基地局装置からのMBMSデータ受信ができなくなる(ST2413)。ステップST2413において、端末装置は屋内基地局装置から報知情報を受信し、報知情報にMBMSサブエリアIDが含まれていないことから、MBSFNが受信できないエリア、すなわち屋内エリアに入ったことを認識する。
【０１４３】
続いて端末装置は、屋内エリア用のMBMS制御情報を受信し（ST2414）、その中に含まれるMBMSサブエリアIDを取得する。この時、屋内エリアのMBMSサブエリアが、直前にいたマクロセルのMBMSサブエリアと同一の場合(ST2415：Yes、ST2416：Yes)、端末装置は、マクロセルでのMBMS受信のための設定を再利用して、屋内エリア内でも同一のMBMSサービスを受けることができる。一方、屋内エリアとマクロセルのMBMSサブエリアは異なる（ST2415：No）が、MBMSサービスエリアが同じである（ST2417：Yes）場合において、屋内エリア内で、端末装置が受信したいMBMSサービスが送信されている場合（ST2416：Yes）、マクロセルでのMBMS受信のための設定を再利用して、屋内エリア内でも同一のMBMSサービスを受けることができる（ST2420）。屋内エリアでどのようなMBMSサービスが送信されているかは、屋内基地局装置から送信されるMBMS制御情報で示されるため、端末装置は、このMBMS制御情報を参照してST2416の判断を行う。
【０１４４】
屋内エリア内でMBMSサービスが送信されていない場合（ST2416：No）は、サービスリクエスト処理（ST2419）に移行する。ST2419において、端末装置は、屋内基地局装置にRRC接続要求メッセージ（RRC connection request）を送信し、RRCコネクションを確立して、MBMSサービスの送信を要求する。屋内基地局装置は、端末装置からの要求を受けて、MBMS制御装置にMBMSサービスの配信を要求する。これによって、端末装置は、屋内エリア内でマクロセルと同一のMBMSデータを受信できるようになる（ST2420）。
【０１４５】
その後、端末装置が屋内エリアから出ると、屋内基地局とのRRCコネクションを解放し（RRC connection release）、再びマクロセル基地局装置からMBMSデータを受信（MBSFN）する。
【０１４６】
屋内エリアとマクロセルのMBMSサブエリアもMBMSサービスエリアも両方とも異なる場合（ST2415：No、ST2417：No）は、端末装置は直前にマクロセルで受信していたMBMSデータを屋内エリア内で受信することができないので、再びマクロセルに出た後で、MEMS制御情報およびMBMSデータを受信する（ST2418）。
【０１４７】
以上のように、実施の形態５において、屋内エリア内でMBMSサブエリア情報を端末装置に通知することで、屋内エリアがマクロセルと同じサービスエリア内であれば、屋内エリア内に入っても、端末装置はマクロセルの設定を再利用して同一のMBMSサービスを受信することができる。
【０１４８】
屋内エリアで通知するMBMS制御情報には、MBMSサブエリアID、屋内エリア内で現在送信されているMBMSサービス、及び現在送信されていないが提供可能なMBMSサービスのMBMSサービスID及びセッションID、 MBMSデータの送られるリソースを示したID（MBMS-Radio Network Temporary Identifier。以下、MBMS-RNTIとする）、MBMSデータのスケジューリング情報（タイムウインドウ情報）などがある。
【０１４９】
なお、異なるMBMSサブエリアに属するマクロセルの間にまたがって配置されている屋内エリアの場合には、屋内エリア内で2つのMBMSサブエリアそれぞれで提供されているMBMSサービスに関する情報を送ることも考えられる。この時、屋内エリアでは2つのMBMSサブエリアIDを通知する。
【０１５０】
また、上記の場合で屋内エリアがどちらか一方のMBMSサブエリアに完全に属している場合に、属している方のMBMSサブエリアで提供されているMBMSサービスに関する情報のみを送ることも考えられる。この時、屋内エリアでは属している方のMBMSサブエリアIDが通知される。もう一方のMBMSサブエリアでしか提供されていないMBMSサービスを屋内エリア内で受信することはできない。
【０１５１】
なお、屋内エリアの報知情報で、屋内エリアであることを示す情報（1ビットフラグなど）を送ることも考えられる。このようにすれば、端末装置は、屋内エリアの報知情報を受信することで、屋内エリア内に入ったことを認識することができ、続いてMBMSサービス受信のために屋内エリアのMBMS制御情報を受信することができる。
【０１５２】
なお、屋内エリアでは通常はMBMS制御情報を送信しておらず、屋内エリア内でMBMSサービスを受信したい端末装置からの要求に応じて、屋内基地局装置がMBMS制御情報の送信を開始することも考えられる。この場合、MBMSサービスを受信したい端末装置が屋内エリア内にいなくなった、すなわち、端末装置がマクロセルに出た時点で、屋内基地局装置はMBMS制御情報の送信を停止する。
【０１５３】
なお、本実施の形態５ではマクロセルと屋内エリアとが混在する場合の例を示したが、屋内エリアに限らず、MBMSサブエリア内のセルでシングルセル送信（シングルセルトランスミッション、SC-PTM）のみを行っているセルが存在する場合も、SC-PTMでMBMSサブエリアIDを通知することで、同様の効果を得ることができる。
【０１５４】
（実施の形態６）
本実施の形態６では、実施の形態４におけるカウンティング判定に、さらに端末装置のモビリティ状態を加味することで、無駄なサービスのオンオフ切り替えを削減することを考える。
【０１５５】
図２５は、本発明の実施の形態６に係る端末装置の構成を示すブロック図である。
【０１５６】
受信部２５０１は、基地局からの報知情報及びMBMS制御情報を受信し、それぞれ報知情報受信部２５０２、MBMS制御情報受信部２５０３に出力する。
【０１５７】
報知情報受信部２５０２は、受信部２５０１から出力された報知情報の中から、モビリティ状態を判定するために必要なパラメータを抽出し、モビリティ判定部２５０４に出力する。
【０１５８】
セル移動回数計測部２５０５は、端末装置のセル移動回数を計測し、その結果をモビリティ判定部２５０４に出力する。
【０１５９】
モビリティ判定部２５０４は、MBMS制御情報受信部２５０３から出力されたパラメータとセル移動回数計測部２５０５から出力された端末装置のセル移動回数とをもとに、規定時間内に端末装置が何回セル移動したかによって、端末装置のモビリティ状態を決定する。また、モビリティ判定部２５０４は、決定した端末装置のモビリティ状態を、モビリティ情報記憶部２５０６に出力する。
【０１６０】
モビリティ情報記憶部２５０６は、モビリティ判定部２５０４から出力された端末装置のモビリティ状態を記憶し、カウンティング応答生成部２５０７に出力する。
MBMS制御情報受信部２５０３は、受信部２５０１から出力されたMBMS制御情報を受信し、カウンティング要求をカウンティング要求受信部２５０８に、その他のMBMS制御情報関連情報をMBMS制御情報記憶部２５０９に出力する。
【０１６１】
カウンティング要求受信部２５０８は、MBMS制御情報受信部２５０３から出力されたカウンティング要求を受けて、カウンティング応答生成部２５０７にカウンティング応答の作成を指示する。
【０１６２】
MBMS制御情報記憶部２５０９は、カウンティング応答生成部２５０７に、カウンティング応答に含まれるMBMSサブエリアID、MBMSサービスIDなどの情報を出力する。
【０１６３】
カウンティング応答生成部２５０７は、カウンティング要求受信部２５０８からのカウンティング応答作成指示を受けて、MBMS制御情報記憶部２５０９から出力されたMBMSサブエリアID、MBMSサービスIDなどの情報と、モビリティ情報記憶部２５０６から出力された端末装置のモビリティ状態の情報とを含んだカウンティング応答メッセージを作成し、送信部２５１０に出力する。
【０１６４】
送信部２５１０は、カウンティング応答生成部２５０７から出力されたカウンティング応答メッセージをアンテナ２５１１を介して送信する。
【０１６５】
カウンティングレスポンスに含まれる端末装置のモビリティ状態には、High、Medium、Normalの3段階がある。また、モビリティ状態の判定に用いるパラメータは、端末装置のセル移動回数を計測する規定時間を示すパラメータ（T_CRMAX）と、端末装置のセル移動回数の閾値を示すパラメータ（N_CR_M及びN_CR_H）とがある。端末装置がT_CRMAX時間内にN_CR_M回数以上セル移動をした場合、端末装置のモビリティ状態はMediumとなり、N_CR_H回数以上セル移動をした場合、端末装置のモビリティ状態はHighとなる。N_CR_Mよりセル移動回数が少ない場合、端末装置のモビリティ状態はNormalとなる。ただし、端末装置が同じ2つのセル間を移動している場合は、セル移動回数に計測しない。
カウンティングを行った場合において、同一MBMSサービスエリアの隣接MBMSサブエリアにHighモビリティ状態の端末が存在するときは、MBMSサービスの送信をオンにする。
【０１６６】
以上のように、カウンティングレスポンスに端末装置のモビリティ情報を含むことで、マクロセル基地局装置またはMBMS制御装置は、あるMBMSサブエリア内にはMBMSサービスを受信したい端末がいない場合であっても、隣接MBMSサブエリアに、MBMSサービスを受信したいHighモビリティな端末が存在し、自分のMBMSサブエリア内に向かって移動してくるときは、MBMSサービスの送信をオフとせず送信を続けるので、不必要なMBMSサービスのオンオフ切り替えの発生を削減することができる。
【０１６７】
さらに、カウンティングレスポンスに端末装置の移動履歴を付加することによって、端末装置の移動方向も考慮したカウンティングを行うことができる。例えば、過去にいたMBMSサブエリアのIDを記憶し、端末装置のモビリティ状態がMediumあるいはHighの場合は、カウンティングレスポンスに移動履歴も含めて送信することが考えられる。
【０１６８】
以上の構成によって、端末装置のモビリティを考慮したカウンティングの精度を高めることができ、不要なMBMSサービスのオンオフ切り替えの発生を削減することができる。
【０１６９】
本発明を詳細にまた特定の実施態様を参照して説明したが、本発明の精神と範囲を逸脱することなく様々な変更や修正を加えることができることは当業者にとって明らかである。
【０１７０】
本出願は、2007年6月19日出願の日本特許出願（特願2007−161069）、2008年3月31日出願の日本特許出願（特願2008−089890）、に基づくものであり、その内容はここに参照として取り込まれる。
【産業上の利用可能性】
【０１７１】
本発明に係る無線送信方法、無線受信方法、無線送受信方法、無線送信装置、無線受信装置、無線送受信システム、通信基地局装置及び、無線通信端末装置、無線送信方法及び無線受信方法は、端末装置がセル移動前に隣接セルのマルチキャスト・ブロードキャストサービス状況を効率的に取得することができ、例えば、移動通信システムに適用できる。
【符号の説明】
【０１７２】
１０１    報知情報記憶部
１０２    MIB生成部
１０３    MBMS関連情報記憶部
１０４    MBMS SB生成部
１０５    MBMS制御情報生成部
１０６    スケジューリング部
１０７    サブエリアID記憶部
１０８    MIB送信部
１０９    MBMS SB送信部
１１０    MBMS制御情報送信部
１１１    アンテナ
【手続補正２】
【補正対象書類名】特許請求の範囲
【補正対象項目名】全文
【補正方法】変更
【補正の内容】
【特許請求の範囲】
【請求項１】
１以上のセルから構成されるサービスエリア内で１以上の移動端末に放送サービス又はマルチキャストサービスを提供するための無線送信方法であって、
前記サービスエリアは１以上のサブエリアに分割され、前記サブエリアにはサブエリア識別子が付与されており、
スケジューリングブロックのスケジューリング情報と自セルが属するサブエリアのサブエリア識別子を含むマスター情報ブロックを送信するマスター情報ブロック送信ステップと、
前記放送サービス又はマルチキャストサービスが提供されるサブエリアの識別子を含む前記スケジューリングブロックを送信するスケジューリングブロック送信ステップと、からなる無線送信方法。
【請求項２】
前記スケジューリングブロックは、前記放送サービス又はマルチキャストサービスが提供されるサブエリアの内、前記自セルが属するサブエリアと隣接するサブエリアのサブエリア識別子を含むことを特徴とする、請求項１記載の無線送信方法。
【請求項３】
前記サブエリアにおいて提供されるサービスを識別するサービス識別子を、さらに前記スケジューリングブロックに含むことを特徴とする、請求項１又は請求項２記載の無線送信方法。
【請求項４】
制御情報を送信する制御情報送信ステップをさらに有する請求項１記載の無線送信方法であって、
前記制御情報は、前記放送サービス又はマルチキャストサービスが提供されるサブエリアの内、前記自セルが属するサブエリアと隣接するサブエリアのサブエリア識別子と、
前記サブエリアにおいて提供されるサービスを識別するサービス識別子とを含むことを特徴とする無線送信方法。
【請求項５】
前記スケジューリングブロックは、アクティブであるサービスのサービス識別子のみを含むことを特徴とする請求項４記載の無線送信方法。
【請求項６】
サービスエリア内で提供可能なすべてのサービス識別子を含む通知情報を送信する通知情報送信ステップをさらに有することを特徴とする請求項１から請求項５いずれか記載の無線送信方法。
【請求項７】
前記スケジューリングブロックはＳＦＮ合成され伝送されることを特徴とする請求項１から請求項６いずれか記載の無線送信方法。
【請求項８】
１以上のセルから構成されるサービスエリア内で１以上の移動端末に提供される放送サービス又はマルチキャストサービスを受信するための無線受信方法であって、
前記サービスエリアは１以上のサブエリアに分割され、前記サブエリアにはサブエリア識別子が付与されており、
スケジューリングブロックのスケジューリング情報と自セルが属するサブエリアのサブエリア識別子を含むマスター情報ブロックを受信するマスター情報ブロック受信ステップと、
前記放送サービス又はマルチキャストサービスが提供されるサブエリアの識別子を含む前記スケジューリングブロックを受信するスケジューリングブロック受信ステップと、からなる無線受信方法。
【請求項９】
隣接セルのスケジューリングブロックのスケジューリング情報と隣接セルが属するサブエリアのサブエリア識別子を含む隣接セルのマスター受信ブロックを受信する隣接セルマスター情報ブロック受信ステップをさらに有する請求項８記載の無線受信方法。
【請求項１０】
受信した前記隣接セルマスター情報ブロックからサブエリア識別子を抽出して記憶する隣接セルサブエリア識別子記憶ステップと、
前記隣接セルサブエリア識別子が前記スケジューリングブロックに含まれるかどうか判定する判定ステップとを有することを特徴とする請求項９記載の無線受信方法。
【請求項１１】
前記判定ステップにおいて、前記隣接セルサブエリア識別子が前記スケジューリングブロックに含まれないと判定された場合に、セルリセレクションを抑制することを特徴とする請求項１０記載の無線受信方法。
【請求項１２】
前記判定ステップにおいて、前記隣接セルサブエリア識別子が前記スケジューリングブロックに含まれないと判定された場合に、現在受信中のサービスが継続できなくなることをユーザに通知する通知ステップをさらに有することを特徴とする請求項１０記載の無線受信方法。
【請求項１３】
１以上のセルから構成されるサービスエリア内で１以上の移動端末に放送サービス又はマルチキャストサービスを提供するための無線送受信方法であって、
前記サービスエリアは１以上のサブエリアに分割され、前記サブエリアにはサブエリア識別子が付与されており、
スケジューリングブロックのスケジューリング情報と自セルが属するサブエリアのサブエリア識別子を含むマスター情報ブロックを送信するマスター情報ブロック送信ステップと、
前記放送サービス又はマルチキャストサービスが提供されるサブエリアの識別子を含む前記スケジューリングブロックを送信するスケジューリングブロック送信ステップと、
スケジューリングブロックのスケジューリング情報と自セルが属するサブエリアのサブエリア識別子を含むマスター情報ブロックを受信するマスター情報ブロック受信ステップと、
前記放送サービス又はマルチキャストサービスが提供されるサブエリアの識別子を含む前記スケジューリングブロックを受信するスケジューリングブロック受信ステップと、からなる無線送受信方法。
【請求項１４】
１以上のセルから構成されるサービスエリア内で１以上の移動端末に放送サービス又はマルチキャストサービスを提供するための無線送信装置であって、
前記サービスエリアは１以上のサブエリアに分割され、前記サブエリアにはサブエリア識別子が付与されており、
スケジューリングブロックのスケジューリング情報と自セルが属するサブエリアのサブエリア識別子を含むマスター情報ブロックを送信するマスター情報ブロック送信部と、
前記放送サービス又はマルチキャストサービスが提供されるサブエリアの識別子を含む前記スケジューリングブロックを送信するスケジューリングブロック送信部と、を具備する無線送信装置。
【請求項１５】
前記スケジューリングブロックは、前記放送サービス又はマルチキャストサービスが提供されるサブエリアの内、前記自セルが属するサブエリアと隣接するサブエリアのサブエリア識別子を含むことを特徴とする、請求項１４記載の無線送信装置。
【請求項１６】
前記サブエリアにおいて提供されるサービスを識別するサービス識別子を、さらに前記スケジューリングブロックに含むことを特徴とする、請求項１４又は請求項１５記載の無線送信装置。
【請求項１７】
制御情報を送信する制御情報送信部をさらに具備する請求項１４記載の無線送信装置であって、
前記制御情報は、前記放送サービス又はマルチキャストサービスが提供されるサブエリアの内、前記自セルが属するサブエリアと隣接するサブエリアのサブエリア識別子と、
前記サブエリアにおいて提供されるサービスを識別するサービス識別子とを含むことを特徴とする無線送信装置。
【請求項１８】
前記スケジューリングブロックは、アクティブであるサービスのサービス識別子のみを含むことを特徴とする請求項１７記載の無線送信装置。
【請求項１９】
サービスエリア内で提供可能なすべてのサービス識別子を含む通知情報を送信する通知情報送信部をさらに具備することを特徴とする請求項１４から請求項１８いずれか記載の無線送信装置。
【請求項２０】
前記スケジューリングブロックはＳＦＮ合成され伝送されることを特徴とする請求項１４から請求項１９いずれか記載の無線送信装置。
【請求項２１】
１以上のセルから構成されるサービスエリア内で１以上の移動端末に提供される放送サービス又はマルチキャストサービスを受信するための無線受信装置であって、
前記サービスエリアは１以上のサブエリアに分割され、前記サブエリアにはサブエリア識別子が付与されており、
スケジューリングブロックのスケジューリング情報と自セルが属するサブエリアのサブエリア識別子を含むマスター情報ブロックを受信するマスター情報ブロック受信部と、
前記放送サービス又はマルチキャストサービスが提供されるサブエリアの識別子を含む前記スケジューリングブロックを受信するスケジューリングブロック受信部と、を具備する無線受信装置。
【請求項２２】
隣接セルのスケジューリングブロックのスケジューリング情報と隣接セルが属するサブエリアのサブエリア識別子を含む隣接セルのマスター受信ブロックを受信する隣接セルマスター情報ブロック受信部とをさらに具備する請求項２１記載の無線受信装置。
【請求項２３】
受信した前記隣接セルマスター情報ブロックからサブエリア識別子を抽出して記憶する隣接セルサブエリア識別子記憶部と、前記隣接セルサブエリア識別子が前記スケジューリングブロックに含まれるかどうか判定する判定部を具備することを特徴とする請求項２２記載の無線受信装置。
【請求項２４】
前記判定部において、前記隣接セルサブエリア識別子が前記スケジューリングブロックに含まれないと判定された場合に、セルリセレクションを抑制することを特徴とする請求項２３記載の無線受信装置。
【請求項２５】
前記判定部において、前記隣接セルサブエリア識別子が前記スケジューリングブロックに含まれないと判定された場合に、現在受信中のサービスが継続できなくなることをユーザーに通知する通知部をさらに具備することを特徴とする請求項２３記載の無線受信装置。
【請求項２６】
１以上のセルから構成されるサービスエリア内で１以上の移動端末に放送サービス又はマルチキャストサービスを提供するための無線送受信システムであって、
前記サービスエリアは１以上のサブエリアに分割され、前記サブエリアにはサブエリア識別子が付与されており、
スケジューリングブロックのスケジューリング情報と自セルが属するサブエリアのサブエリア識別子を含むマスター情報ブロックを送信するマスター情報ブロック送信部と、
前記放送サービス又はマルチキャストサービスが提供されるサブエリアの識別子を含む前記スケジューリングブロックを送信するスケジューリングブロック送信部と、
スケジューリングブロックのスケジューリング情報と自セルが属するサブエリアのサブエリア識別子を含むマスター情報ブロックを受信するマスター情報ブロック受信部と、
前記放送サービス又はマルチキャストサービスが提供されるサブエリアの識別子を含む前記スケジューリングブロックを受信するスケジューリングブロック受信部と、を具備する無線送受信システム。
【請求項２７】
請求項１４から請求項２０のいずれかに記載の無線送信装置を具備する基地局装置。
【請求項２８】
請求項２１から請求項２５のいずれかに記載の無線受信装置を具備する端末装置。
【手続補正３】
【補正対象書類名】図面
【補正対象項目名】全図
【補正方法】変更
【補正の内容】
【図１】
2008155915.tif 000028
【図２】
2008155915.tif 000029
【図３】
2008155915.tif 000030
【図４】
2008155915.tif 000031
【図５】
2008155915.tif 000032
【図６】
2008155915.tif 000033
【図７】
2008155915.tif 000034
【図８】
2008155915.tif 000035
【図９】
2008155915.tif 000036
【図１０】
2008155915.tif 000037
【図１１】
2008155915.tif 000038
【図１２】
2008155915.tif 000039
【図１３】
2008155915.tif 000040
【図１４】
2008155915.tif 000041
【図１５】
2008155915.tif 000042
【図１６】
2008155915.tif 000043
【図１７】
2008155915.tif 000044
【図１８】
2008155915.tif 000045
【図１９】
2008155915.tif 000046
【図２０】
2008155915.tif 000047
【図２１】
2008155915.tif 000048
【図２２】
2008155915.tif 000049
【図２３】
2008155915.tif 000050
【図２４】
2008155915.tif 000051
【図２５】
2008155915.tif 000052
【国際調査報告】
2008155915.tif 000053
2008155915.tif 000054